(57)【要約】  本発明は、アップリンク無線リソースがスケジューリングされるユーザ機器（ＵＥ）に関する。少なくとも１つのアンライセンスセルが、ＵＥ（Ｕｓｅｒ  Ｅｑｕｉｐｍｅｎｔ）と基地局（ＢＳ：Base Station）との間の通信に対して設定される。ＵＥは、ＢＳから第１段階アップリンクスケジューリングメッセージを受信する。ＵＥは、第１段階アップリンクリソーススケジューリングメッセージが有効か否かを判定する。ＵＥによる判定は、第１段階アップリンクスケジューリングメッセージ中の１つまたは複数のデータフィールドの１つまたは複数のビットがそれぞれ所定の値に設定されている場合に、第１段階アップリンクリソーススケジューリングメッセージが有効であると判定することを含む。ＵＥは、ＢＳから第１段階アップリンクスケジューリングメッセージに関連した第２段階アップリンクスケジューリングメッセージを受信する。ＵＥは、第２段階アップリンクリソーススケジューリングメッセージを受信したとき、第１段階アップリンクリソーススケジューリングメッセージが有効であるとＵＥが判定した場合に、アップリンク送信がスケジューリングされていると判定する。次にＵＥは、アップリンク送信がスケジューリングされているとＵＥが判定した場合に、アンライセンスセルを介したアップリンク送信を実行する。【選択図】図８
2019537347.tif 000002
【特許請求の範囲】
【請求項１】
アップリンク無線リソースがスケジューリングされるユーザ機器であって、前記ユーザ機器と無線基地局との間の通信に対して少なくとも１つのアンライセンスセルが設定され、前記無線基地局が、前記アンライセンスセル上の前記アップリンク無線リソースのスケジューリングを担い、前記ユーザ機器は、
前記アンライセンスセルを介したアップリンク送信の実行に前記ユーザ機器が使用可能なアップリンク無線リソースを示す第１段階アップリンクリソーススケジューリングメッセージを前記無線基地局から受信する受信機と、
前記第１段階アップリンクリソーススケジューリングメッセージが有効か否かを判定するプロセッサであって、プロセッサによる判定が、前記第１段階アップリンクリソーススケジューリングメッセージにおける１つまたは複数のデータフィールドの１つまたは複数のビットがそれぞれ所定の値に設定されている場合に前記第１段階アップリンクリソーススケジューリングメッセージが有効であると判定する、プロセッサと、を備え、
前記受信機は、前記第１段階アップリンクリソーススケジューリングメッセージと関連する第２段階アップリンクリソーススケジューリングメッセージを前記無線基地局から受信し、
前記プロセッサは、前記第２段階アップリンクリソーススケジューリングメッセージを受信した場合、前記第１段階アップリンクリソーススケジューリングメッセージが有効であると前記プロセッサが判定した場合に、アップリンク送信がスケジューリングされたと判定し、
ユーザ機器は、さらに、
アップリンク送信がスケジューリングされたと前記プロセッサが判定した場合、前記第１段階アップリンクリソーススケジューリングメッセージ内に示された前記アップリンク無線リソースに基づいて、前記アンライセンスセルを介してアップリンク送信を実行する送信機、を備える、
ユーザ機器。
【請求項２】
前記１つまたは複数のビットおよび前記１つまたは複数のデータフィールドの前記所定の値は、前記ユーザ機器および前記無線基地局において一定である、または、上位レイヤシグナリングを用いて、前記無線基地局によって前記ユーザ機器に設定される、
請求項１に記載のユーザ機器。
【請求項３】
前記第１段階アップリンクリソーススケジューリングメッセージ内の前記１つまたは複数のデータフィールドは、リソーススケジューリングメッセージに対して定期的に定義される以下のフィールド、すなわち、
前記ユーザ機器からのチャネル状態情報メッセージの送信を要求する、チャネル状態情報（ＣＳＩ）要求データフィールド、または、
前記ユーザ機器からのサウンディング参照シンボルの送信を要求する、サウンディング参照シンボル（ＳＲＳ）要求データフィールド、または、
前記ユーザ機器に対する送信電力の変更を示す、送信電力コマンド（ＴＰＣ）データフィールド、または、
前記ユーザ機器が前記アップリンク送信を実行するためのタイミングオフセットを示す、タイミングオフセットデータフィールド、
のうちの１つであり、
前記ＴＰＣデータフィールドの２つのビットのうちの一方が、前記第１段階アップリンクリソーススケジューリングメッセージが有効であるか否かを判定するために使用され、前記ＴＰＣデータフィールドの前記２つのビットのうちの他方が、前記ユーザ機器に対する前記送信電力の変更を示すために使用され、
前記タイミングオフセットデータフィールドの２つのビットのうちの一方のビットが、前記第１段階アップリンクリソーススケジューリングメッセージが有効であるか否かを判定するために使用され、前記タイミングオフセットデータフィールドの前記２つのビットのうちの他方のビットが、前記ユーザ機器が前記アップリンク送信を実行するための前記タイミングオフセットを決定するために使用され、
前記タイミングオフセットデータフィールドの前記２つのビットのうちの前記他方のビットと関連付けられた前記タイミングオフセットの値は、前記タイミングオフセットデータフィールドの前記２つのビットと関連付けられた最低値および最高値であるか、または前記無線基地局によって、前記ユーザ機器に送信される無線リソース制御（ＲＲＣ）シグナリングを介して設定可能である、
請求項１または２に記載のユーザ機器。
【請求項４】
前記第１段階アップリンクリソーススケジューリングメッセージは、前記ユーザ機器に対してアドレス指定され、前記第２段階アップリンクリソーススケジューリングメッセージが、複数のユーザ機器に対して共通にアドレス指定されており、
前記第１段階アップリンクリソーススケジューリングメッセージは、前記第１段階アップリンクリソーススケジューリングメッセージの送信において採用されたユーザ機器固有の識別情報により前記ユーザ機器に対してアドレス指定され、前記ユーザ機器固有の識別情報は設定可能であり、
前記第２段階アップリンクリソーススケジューリングメッセージは、前記第２段階アップリンクリソーススケジューリングメッセージの送信において採用された共有識別情報により、前記第２段階アップリンクリソーススケジューリングメッセージを受信する複数のユーザ機器に対して共通にアドレス指定され、前記共有識別情報は予め規定され、複数のユーザ機器に共通する、
請求項１〜３のいずれか一項に記載のユーザ機器。
【請求項５】
前記第１段階アップリンクリソーススケジューリングメッセージは、前記第１段階アップリンクリソーススケジューリングメッセージを前記第２段階アップリンクリソーススケジューリングメッセージと併せて考慮可能な、前記第２段階アップリンクリソーススケジューリングメッセージの受信前の期間を示し、
前記プロセッサは、前記第１段階アップリンクリソーススケジューリングメッセージの受信後の前記期間内に前記第２段階アップリンクリソーススケジューリングメッセージが受信された場合に、前記第１段階アップリンクリソーススケジューリングメッセージが前記第２段階アップリンクリソーススケジューリングメッセージと併せて考慮可能であると判定する、
請求項１〜４のいずれか一項に記載のユーザ機器。
【請求項６】
前記第１段階アップリンクリソーススケジューリングメッセージは、前記ユーザ機器が前記アップリンク送信を実行するためのタイミングオフセットを示し、前記第２段階アップリンクリソーススケジューリングメッセージは、前記ユーザ機器が前記アップリンク送信を実行するための別のタイミングオフセットを示し、
前記送信機は、前記第２段階アップリンクリソーススケジューリングメッセージの受信に際して、少なくとも前記タイミングオフセットと前記別のタイミングオフセットとの合計の後に前記アップリンク送信を実行する、
請求項１〜５のいずれか一項に記載のユーザ機器。
【請求項７】
前記第１段階アップリンクリソーススケジューリングメッセージは、第１段階フラグをそれぞれ含むフォーマット０Ａ、０Ｂ、４Ａまたは４Ｂのダウンリンク制御情報（ＤＣＩ）メッセージであり、前記第１段階フラグは、前記ＤＣＩメッセージが２段階アップリンクリソーススケジューリングの第１のメッセージであることを示し、
前記第２段階アップリンクリソーススケジューリングメッセージは、第２段階フラグを含むフォーマット１Ｃの前記ＤＣＩメッセージであり、前記第２段階フラグは、前記ＤＣＩメッセージが前記２段階アップリンクリソーススケジューリングの第２のメッセージであることを示す、
請求項１〜６のいずれか一項に記載のユーザ機器。
【請求項８】
ユーザ機器に対してアンライセンスセル上のアップリンク無線リソースをスケジューリングする無線基地局であって、少なくとも１つの前記アンライセンスセルは、前記ユーザ機器と前記無線基地局との間の通信に対して設定され、前記無線基地局は、
前記ユーザ機器が前記アンライセンスセルを介してアップリンク送信を実行するのに使用可能なアップリンク無線リソースを示す第１段階アップリンクリソーススケジューリングメッセージを生成するプロセッサであって、前記第１段階アップリンクリソーススケジューリングメッセージの生成は、前記第１段階アップリンクリソーススケジューリングメッセージにおける１つまたは複数のデータフィールドの１つまたは複数のビットがそれぞれ所定の値に設定されていると確認された場合に、前記ユーザ機器が、前記第１段階アップリンクリソーススケジューリングメッセージが有効であると判定できるようにするために、前記第１段階アップリンクリソーススケジューリングメッセージにおける前記１つまたは複数のデータフィールドの前記１つまたは複数のビットをそれぞれ前記所定の値に設定することを含む、前記プロセッサと、
前記第１段階アップリンクリソーススケジューリングメッセージを前記ユーザ機器へ送信する送信機と、
を備え、
前記プロセッサは、前記第１段階アップリンクリソーススケジューリングメッセージに関連した第２段階アップリンクリソーススケジューリングメッセージを生成し、
前記送信機は、前記第２段階アップリンクリソーススケジューリングメッセージを前記ユーザ機器へ送信する、
無線基地局。
【請求項９】
前記１つまたは複数のビットおよび前記１つまたは複数のデータフィールドの前記所定の値は、前記ユーザ機器および前記無線基地局において一定である、または、上位レイヤシグナリングを用いて、前記無線基地局によって前記ユーザ機器に設定される、
請求項８に記載の無線基地局。
【請求項１０】
前記第１段階アップリンクリソーススケジューリングメッセージ内の前記１つまたは複数のデータフィールドは、リソーススケジューリングメッセージに対して定期的に定義される以下のフィールド、すなわち、
前記ユーザ機器からのチャネル状態情報メッセージの送信を要求する、チャネル状態情報（ＣＳＩ）要求データフィールド、または、
前記ユーザ機器からのサウンディング参照シンボルの送信を要求する、サウンディング参照シンボル（ＳＲＳ）要求データフィールド、または、
前記ユーザ機器に対する送信電力の変更を示す、送信電力コマンド（ＴＰＣ）データフィールド、または、
前記ユーザ機器が前記アップリンク送信を実行するためのタイミングオフセットを示す、タイミングオフセットデータフィールド、
のうちの１つであり、
前記ＴＰＣデータフィールドの２つのビットのうちの一方が、前記第１段階アップリンクリソーススケジューリングメッセージが有効であるか否かを判定するために使用され、前記ＴＰＣデータフィールドの前記２つのビットのうちの他方が、前記ユーザ機器に対する前記送信電力の変更を示すために使用され、
前記タイミングオフセットデータフィールドの２つのビットのうちの一方のビットが、前記第１段階アップリンクリソーススケジューリングメッセージが有効であるか否かを判定するために使用され、前記タイミングオフセットデータフィールドの前記２つのビットのうちの他方のビットが、前記ユーザ機器が前記アップリンク送信を実行するための前記タイミングオフセットを指定するために使用され、
前記タイミングオフセットデータフィールドの前記２つのビットのうちの前記他方のビットと関連付けられた前記タイミングオフセットの値は、前記タイミングオフセットデータフィールドの前記２つのビットと関連付けられた最低値および最高値であるか、または前記無線基地局によって、前記ユーザ機器に送信される無線リソース制御（ＲＲＣ）シグナリングを介して設定可能である、
請求項８または９に記載の無線基地局。
【請求項１１】
前記第１段階アップリンクリソーススケジューリングメッセージは、前記ユーザ機器に対してアドレス指定され、前記第２段階アップリンクリソーススケジューリングメッセージが、複数のユーザ機器に対して共通にアドレス指定されている、
請求項８〜１０のいずれか一項に記載の無線基地局。
【請求項１２】
前記第１段階アップリンクリソーススケジューリングメッセージは、前記第１段階アップリンクリソーススケジューリングメッセージを前記第２段階アップリンクリソーススケジューリングメッセージと併せて考慮可能な、前記第２段階アップリンクリソーススケジューリングメッセージの受信前の期間を示す、
請求項８〜１１のいずれか一項に記載の無線基地局。
【請求項１３】
前記第１段階アップリンクリソーススケジューリングメッセージは、前記ユーザ機器が前記アップリンク送信を実行するためのタイミングオフセットを示し、前記第２段階アップリンクリソーススケジューリングメッセージは、前記ユーザ機器が前記アップリンク送信を実行するための別のタイミングオフセットを示し、
前記ユーザ機器は、前記第２段階アップリンクリソーススケジューリングメッセージの受信に際して、少なくとも前記タイミングオフセットと前記別のタイミングオフセットとの合計の後に前記アップリンク送信を実行し、
前記第１段階アップリンクリソーススケジューリングメッセージは、第１段階フラグをそれぞれ含むフォーマット０Ａ、０Ｂ、４Ａまたは４Ｂのダウンリンク制御情報（ＤＣＩ）メッセージであり、前記第１段階フラグは、前記ＤＣＩメッセージが２段階アップリンクリソーススケジューリングの第１のメッセージであることを示し、
前記第２段階アップリンクリソーススケジューリングメッセージは、第２段階フラグを含むフォーマット１Ｃの前記ＤＣＩメッセージであり、前記第２段階フラグは、前記ＤＣＩメッセージが２段階アップリンクリソーススケジューリングの第２のメッセージであることを示す、
請求項８〜１２のいずれか一項に記載の無線基地局。
【請求項１４】
アップリンク無線リソースがスケジューリングされるユーザ機器を動作させる方法であって、前記ユーザ機器と無線基地局との間の通信に対して少なくとも１つのアンライセンスセルが設定され、前記無線基地局が、前記アンライセンスセル上の前記アップリンク無線リソースのスケジューリングを担い、前記方法が、前記ユーザ機器によって実行される以下のステップ、すなわち、
前記アンライセンスセルを介したアップリンク送信の実行に前記ユーザ機器が使用可能なアップリンク無線リソースを示す第１段階アップリンクリソーススケジューリングメッセージを前記無線基地局から受信するステップと、
前記第１段階アップリンクリソーススケジューリングメッセージが有効か否かを判定するステップであって、前記第１段階アップリンクリソーススケジューリングメッセージにおける１つまたは複数のデータフィールドの１つまたは複数のビットがそれぞれ所定の値に設定されている場合に前記第１段階アップリンクリソーススケジューリングメッセージが有効であると判定する、ステップと、
前記第１段階アップリンクリソーススケジューリングメッセージと関連する第２段階アップリンクリソーススケジューリングメッセージを前記無線基地局から受信するステップと、
前記第２段階アップリンクリソーススケジューリングメッセージを受信した場合、前記第１段階アップリンクリソーススケジューリングメッセージが有効であると判定された場合に、アップリンク送信がスケジューリングされたと判定するステップと、
アップリンク送信がスケジューリングされたと判定された場合、前記第１段階アップリンクリソーススケジューリングメッセージ内に示された前記アップリンク無線リソースに基づいて、前記アンライセンスセルを介してアップリンク送信を実行するステップと、
を含む方法。
【請求項１５】
ユーザ機器に対してアンライセンスセル上のアップリンク無線リソースをスケジューリングする無線基地局を動作させる方法であって、少なくとも１つの前記アンライセンスセルは、前記ユーザ機器と前記無線基地局の間の通信に対して設定され、前記方法は、前記無線基地局によって実行される以下のステップ、すなわち、
前記ユーザ機器が前記アンライセンスセルを介してアップリンク送信を実行するのに使用可能なアップリンク無線リソースを示す第１段階アップリンクリソーススケジューリングメッセージを生成するステップであって、前記生成するステップは、前記第１段階アップリンクリソーススケジューリングメッセージにおける１つまたは複数のデータフィールドの１つまたは複数のビットがそれぞれ所定の値に設定されていると確認された場合に、前記ユーザ機器が、前記第１段階アップリンクリソーススケジューリングメッセージが有効であると判定できるようにするために、前記第１段階アップリンクリソーススケジューリングメッセージにおける前記１つまたは複数のデータフィールドの前記１つまたは複数のビットをそれぞれ前記所定の値に設定することを含む、ステップと、
前記第１段階アップリンクリソーススケジューリングメッセージを前記ユーザ機器へ送信するステップと、
前記第１段階アップリンクリソーススケジューリングメッセージに関連した第２段階アップリンクリソーススケジューリングメッセージを生成するステップと、
前記第２段階アップリンクリソーススケジューリングメッセージを前記ユーザ機器へ送信するステップと、
を含む方法。
【発明の詳細な説明】
【技術分野】
【０００１】
本開示は、アンライセンスセルにおいてアップリンクリソースをスケジューリングするユーザ機器および無線基地局、ならびにそれに応じて無線基地局およびユーザ機器を動作させる方法に関する。
【背景技術】
【０００２】
[Long Term Evolution（ＬＴＥ）］
ＷＣＤＭＡ（登録商標）無線アクセス技術をベースとする第３世代の移動通信システム（３Ｇ）は、世界中で広範な規模で配備されつつある。この技術を機能強化または発展・進化させるうえでの最初のステップとして、高速ダウンリンクパケットアクセス（ＨＳＤＰＡ：High-Speed Downlink Packet Access）と、エンハンストアップリンク（高速アップリンクパケットアクセス（ＨＳＵＰＡ：High-Speed Uplink Packet Access）とも称する）とが導入される。これにより、極めて競争力の高い無線アクセス技術が提供されている。
【０００３】
ユーザからのますます増大する需要に対応し、新しい無線アクセス技術に対する競争力を確保する目的で、３ＧＰＰは、Long Term Evolution（ＬＴＥ）と称する新しい移動通信システムを導入した。ＬＴＥは、今後１０年間に渡り、データおよびメディアの高速伝送ならびに大容量の音声サポートに要求されるキャリアを提供するように設計されている。
【０００４】
Ｅ−ＵＴＲＡ（Evolved UMTS Terrestrial Radio Access（ＵＴＲＡ））および進化したＵＴＲＡＮ（UMTS Terrestrial Radio Access Network）と称されるLong Term Evolution（ＬＴＥ）に関する作業項目（ＷＩ：Work Item）の仕様は、最終的にリリース８（ＬＴＥ  Ｒｅｌ．８）として公開される。ＬＴＥシステムは、パケットベースの効率的な無線アクセスおよび無線アクセスネットワークであり、ＩＰベースの全機能を低遅延かつ低コストで提供する。ＬＴＥでは、与えられたスペクトルを用いてフレキシブルなシステム配備を達成するために、スケーラブルな複数の送信帯域幅（例えば、１．４ＭＨｚ、３．０ＭＨｚ、５．０ＭＨｚ、１０．０ＭＨｚ、１５．０ＭＨｚ、および２０．０ＭＨｚ）が指定されている。ダウンリンクには、直交周波数分割多重（ＯＦＤＭ：Orthogonal Frequency Division Multiplexing）をベースとする無線アクセスが採用されている。なぜなら、かかる無線アクセスは、低いシンボルレートのため本質的にマルチパス干渉（ＭＰＩ：Multiple Interference）を受けにくく、また、サイクリックプレフィックス（ＣＰ：Cyclic Prefix）を使用しており、さらに、様々な送信帯域幅の構成に対応可能だからである。アップリンクには、シングルキャリア周波数分割多重アクセス（ＳＣ−ＦＤＭＡ：Single-Carrier Frequency Division Multiple Access）をベースとする無線アクセスが採用されている。なぜなら、ユーザ機器（ＵＥ：User Equipment）の送信出力が限られていることを考えれば、ピークデータレートを向上させるよりも広いカバレッジエリアを提供することが優先されるからである。ＬＴＥ  Ｒｅｌ．８／９では、数多くの主要なパケット無線アクセス技術（例えば、ＭＩＭＯ（Multiple Input Multiple Output）チャネル伝送技術）が採用され、高効率の制御シグナリング構造が達成されている。
【０００５】
［ＬＴＥアーキテクチャ］
図１は、ＬＴＥの全体的なアーキテクチャを示している。Ｅ−ＵＴＲＡＮは、ｅＮｏｄｅＢから成り、ｅＮｏｄｅＢは、ユーザ機器（ＵＥ）向けのＥ−ＵＴＲＡのユーザプレーン（ＰＤＣＰ／ＲＬＣ／ＭＡＣ／ＰＨＹ）プロトコルおよび制御プレーン（ＲＲＣ：Radio Resource Control）プロトコルを終端させる。ｅＮｏｄｅＢ（ｅＮＢ）は、物理（ＰＨＹ）レイヤ、媒体アクセス制御（ＭＡＣ：Medium Access Control）レイヤ、無線リンク制御（ＲＬＣ：Radio Link Control）レイヤ、およびパケットデータ制御プロトコル（ＰＤＣＰ：Packet Data Control Protocol）レイヤ（これらのレイヤはユーザプレーンのヘッダ圧縮および暗号化の機能を含む）をホストする。ｅＮＢは、制御プレーンに対応する無線リソース制御（ＲＲＣ）機能も提供する。ｅＮＢは、無線リソース管理、アドミッション制御、スケジューリング、交渉によるアップリンクサービス品質（ＱｏＳ：Quality of Service）の実施、セル情報のブロードキャスト、ユーザプレーンデータおよび制御プレーンデータの暗号化／復号、ダウンリンク／アップリンクのユーザプレーンパケットヘッダの圧縮／復元等、多くの機能を実行する。複数のｅＮｏｄｅＢは、Ｘ２インターフェースによって互いに接続されている。
【０００６】
また、複数のｅＮｏｄｅＢは、Ｓ１インターフェースによってＥＰＣ（Evolved Packet Core）、より具体的には、Ｓ１−ＭＭＥによってＭＭＥ（移動管理エンティティ：Mobility Management Entity）、Ｓ１−Ｕによってサービングゲートウェイ（ＳＧＷ：Serving Gateway）に接続されている。Ｓ１インターフェースは、ＭＭＥ／サービングゲートウェイとｅＮｏｄｅＢとの間の多対多関係をサポートする。ＳＧＷは、ユーザデータパケットをルーティングして転送する一方で、ｅＮｏｄｅＢ間のハンドオーバー時におけるユーザプレーンのモビリティアンカーとして機能する。さらに、ＳＧＷは、ＬＴＥと別の３ＧＰＰ技術との間のモビリティのためのアンカー（Ｓ４インターフェースを終端させ、２Ｇ／３ＧシステムとＰＤＮ  ＧＷとの間でトラフィックを中継する）として機能する。ＳＧＷは、アイドル状態のユーザ機器に対しては、ダウンリンクデータ経路を終端させ、そのユーザ機器へのダウンリンクデータが到着したときにページングをトリガーする。ＳＧＷは、ユーザ機器のコンテキスト（例えば、ＩＰベアラサービスのパラメータまたはネットワーク内部ルーティング情報）を管理および格納する。さらに、ＳＧＷは、合法傍受（lawful interception）の場合にユーザトラフィックの複製を実行する。
【０００７】
ＭＭＥは、ＬＴＥアクセスネットワークの主要な制御ノードである。ＭＭＥは、アイドルモードのユーザ機器の追跡およびページング手順（再送信を含む）の役割を担う。ＭＭＥは、ベアラのアクティブ化／非アクティブ化プロセスに関与し、さらには、最初のアタッチ時と、コアネットワーク（ＣＮ：Core Network）ノードの再配置を伴うＬＴＥ内ハンドオーバー時とに、ユーザ機器のＳＧＷを選択する役割も担う。ＭＭＥは、（ＨＳＳと対話することによって）ユーザを認証する役割を担う。非アクセス層（ＮＡＳ：Non-Access Stratum）シグナリングは、ＭＭＥにおいて終端される。ＭＭＥは、一時的なＩＤを生成してユーザ機器に割り当てる役割も担う。ＭＭＥは、サービスプロバイダの公有地モバイルネットワーク（ＰＬＭＮ：Public Land Mobile Network）に入るためのユーザ機器の認証をチェックし、ユーザ機器のローミング制約を実施する。ＭＭＥは、ＮＡＳシグナリングの暗号化／完全性保護においてネットワーク内の終端点であり、セキュリティキーの管理を行う。シグナリングの合法傍受も、ＭＭＥによってサポートされる。また、ＭＭＥは、ＬＴＥアクセスネットワークと２Ｇ／３Ｇアクセスネットワークとの間のモビリティのための制御プレーン機能を提供し、ＳＧＳＮからのＳ３インターフェースをＭＭＥにおいて終端させる。さらに、ＭＭＥは、ローミングするユーザ機器のためのホームＨＳＳに向かうＳ６ａインターフェースを終端させる。
【０００８】
［ＬＴＥにおけるコンポーネントキャリア構造］
３ＧＰＰ  ＬＴＥシステムのダウンリンクコンポーネントキャリアは、いわゆるサブフレームにおける時間−周波数領域でさらに分割される。３ＧＰＰ  ＬＴＥにおいて、各サブフレームは、図２に示すように２つのダウンリンクスロットに分割される。第１のダウンリンクスロットは、第１のＯＦＤＭシンボル内の制御チャネル領域（ＰＤＣＣＨ領域）を備える。各サブフレームは、時間領域内の所与の数のＯＦＤＭシンボルから成り（３ＧＰＰ  ＬＴＥ（リリース８）では１２個または１４個のＯＦＤＭシンボル）、各ＯＦＤＭシンボルはコンポーネントキャリアの帯域幅全体に広がる。したがって、ＯＦＤＭシンボルの各々は、各サブキャリアで送信されるいくつかの変調シンボルから成る。ＬＴＥにおいて、各スロットにおける送信信号は、ＮＤＬＲＢ×ＮＲＢｓｃ本のサブキャリアとＮＤＬｓｙｍｂ個のＯＦＤＭシンボルのリソースグリッドによって記述される。ＮＤＬＲＢは、帯域幅の中のリソースブロックの数である。ＮＤＬＲＢは、セルにおいて設定されているダウンリンク送信帯域幅に依存し、Ｎｍｉｎ，ＤＬＲＢ≦ＮＤＬＲＢ≦Ｎｍａｘ，ＤＬＲＢを満たす。ここで、Ｎｍｉｎ，ＤＬＲＢ＝６およびＮｍａｘ，ＤＬＲＢ＝１１０はそれぞれ、現在のバージョンの仕様によってサポートされている最小ダウンリンク帯域幅および最大ダウンリンク帯域幅である。ＮＲＢｓｃは、１個のリソースブロックの中のサブキャリアの数である。通常のサイクリックプレフィックスのサブフレーム構造の場合、ＮＲＢｓｃ＝１２、ＮＤＬｓｙｍｂ＝７である。
【０００９】
例えば、３ＧＰＰ  Ｌｏｎｇ  Ｔｅｒｍ  Ｅｖｏｌｕｔｉｏｎ（ＬＴＥ）において使用されるＯＦＤＭを使用するマルチキャリア通信システムを仮定すると、スケジューラによって割り当て可能なリソースの最小単位は、１つの「リソースブロック（resource block）」である。物理リソースブロック（ＰＲＢ：Physical Resource Block）は、図２に例示したように、時間領域における連続するＯＦＤＭシンボル（例えば、７個のＯＦＤＭシンボル）および周波数領域における連続するサブキャリア（例えば、コンポーネントキャリアの１２本のサブキャリア）として規定される。したがって、３ＧＰＰ  ＬＴＥ（リリース８）では、物理リソースブロックがリソースエレメントから成り、時間領域における１つのスロットおよび周波数領域における１８０ｋＨｚに対応する（ダウンリンクリソースグリッドに関するさらなる詳細については、例えば、非特許文献１の第６．２項“Evolved Universal Terrestrial Radio Access (E-UTRA); Physical Channels and Modulation (Release 8)”（ｈｔｔｐ：／／ｗｗｗ．３ｇｐｐ．ｏｒｇで入手可能であり、参照により本明細書に組み込まれている）を参照）。
【００１０】
１つのサブフレームは、２つのスロットから成る。いわゆる「通常の（normal）」ＣＰ（サイクリックプレフィックス）が使用されるときにはサブフレーム内に１４個のＯＦＤＭシンボルが存在し、いわゆる「拡張（extended）」ＣＰが使用されるときにはサブフレーム内に１２個のＯＦＤＭシンボルが存在する。専門用語を目的として、以下では、サブフレーム全体に広がる同じ連続サブキャリアと同等の時間−周波数リソースを「リソースブロックペア（resource block pair）」または同等の「ＲＢペア（RB pair）」もしくは「ＰＲＢペア（PRB pair）」と称する。用語「コンポーネントキャリア（Component Carrier）」は、周波数領域におけるいくつかのリソースブロックの組み合わせを表す。ＬＴＥの今後のリリースにおいて、用語「コンポーネントキャリア」はもはや使用されず、代わりに、その専門用語がダウンリンクリソースおよび任意選択でアップリンクリソースの組み合わせを表す「セル（cell）」に変更される。ダウンリンクリソースのキャリア周波数とアップリンクリソースのキャリア周波数との間のリンク付けは、ダウンリンクリソースで送信されるシステム情報において指示される。
【００１１】
コンポーネントキャリアの構造に関する同様の想定は、以降のリリースにも適用される。
【００１２】
［より広い帯域幅のサポートのためのＬＴＥ−Ａにおけるキャリアアグリゲーション］
ＩＭＴ−Ａｄｖａｎｃｅｄの周波数スペクトルがWorld Radio communication Conference 2007（ＷＲＣ−０７）にて決定されている。ＩＭＴ−Ａｄｖａｎｃｅｄのための全体的な周波数スペクトルは決定されたが、実際に利用可能な周波数帯域幅は、地域または国によって異なる。ただし、利用可能な周波数スペクトルのアウトラインの決定に続いて、第３世代パートナーシッププロジェクト（３ＧＰＰ：3rd Generation Partnership Project）において無線インターフェースの標準化が始まっている。
【００１３】
ＬＴＥアドバンストシステムがサポートできる帯域幅は１００ＭＨｚである。一方、ＬＴＥシステムは２０ＭＨｚのみをサポートできる。今日、無線スペクトルの欠如がワイヤレスネットワークの開発のボトルネックになり、結果として、ＬＴＥアドバンストシステムのために十分広いスペクトル帯域を見つけることは困難である。したがって、より広い無線スペクトル帯域を獲得するための方法を見つけることが急務であり、ここにおいて、可能性のある答えは、キャリアアグリゲーション機能である。
【００１４】
キャリアアグリゲーションでは、最大で１００ＭＨｚのより広い送信帯域幅をサポートする目的で、２つ以上のコンポーネントキャリアがアグリゲートされる。ＬＴＥ−Ａｄｖａｎｃｅｄシステムでは、ＬＴＥシステムにおけるいくつかのセルが、より広い１つのチャネルにアグリゲートされる。このチャネルは、たとえＬＴＥにおけるこれらのセルが異なる周波数帯域にある場合でも、１００ＭＨｚに対して十分に広い。少なくともコンポーネントキャリアの帯域幅がＬＴＥ  Ｒｅｌ．８／９のセルのサポートされる帯域幅を超えない場合は、すべてのコンポーネントキャリアをＬＴＥ  Ｒｅｌ．８／９互換となるように設定できる。ユーザ機器によってアグリゲートされるすべてのコンポーネントキャリアが必ずしもＲｅｌ．８／９互換でなくてよい。Ｒｅｌ．８／９のユーザ機器がコンポーネントキャリアにキャンプオンすることを回避するため、既存のメカニズム（例えば、バーリング）が用いられるようになっていてもよい。
【００１５】
ユーザ機器は、その能力に応じて、（複数のサービングセルに対応する）１つまたは複数のコンポーネントキャリアを同時に受信または送信できる。キャリアアグリゲーションのための受信能力および／または送信能力を備えたＬＴＥ−Ａ  Ｒｅｌ．１０のユーザ機器は、複数のサービングセル上で同時に受信および／または送信可能である。これに対して、ＬＴＥ  Ｒｅｌ．８／９のユーザ機器は、コンポーネントキャリアの構造がＲｅｌ．８／９の仕様に従う場合、１つのみのサービングセル上で受信および送信を行うことができる。
【００１６】
キャリアアグリゲーションは、連続するコンポーネントキャリアおよび不連続なコンポーネントキャリアの両方においてサポートされ、各コンポーネントキャリアは、（３ＧＰＰ  ＬＴＥ（リリース８／９）のnumerologyを使用して）周波数領域における最大１１０個のリソースブロックに制限される。
【００１７】
同じｅＮｏｄｅＢ（基地局）に由来し、場合によりアップリンクおよびダウンリンクにおいて異なる帯域幅の異なる数のコンポーネントキャリアをアグリゲートするように、３ＧＰＰ  ＬＴＥ−Ａ（リリース１０）互換のユーザ機器を構成することが可能である。設定可能なダウンリンクコンポーネントキャリアの数は、ＵＥのダウンリンクのアグリゲーション能力によって決まる。逆に、設定可能なアップリンクコンポーネントキャリアの数は、ＵＥのアップリンクのアグリゲーション能力によって決まる。現時点では、ダウンリンクコンポーネントキャリアよりもアップリンクコンポーネントキャリアが多い状態に移動端末を設定することはできない。一般的なＴＤＤ配備において、コンポーネントキャリアの数および各コンポーネントキャリアの帯域幅は、アップリンクとダウンリンクとで同じである。同じｅＮｏｄｅＢから送信されるコンポーネントキャリアが同じカバレッジを提供する必要はない。
【００１８】
連続的にアグリゲートされるコンポーネントキャリアの中心周波数の間隔は、３００ｋＨｚの整数倍である。これは、３ＧＰＰ  ＬＴＥ（リリース８／９）の１００ｋＨｚの周波数ラスターとの互換性を保つと同時に、１５ｋＨｚ間隔のサブキャリアの直交性を維持するためである。アグリゲーションのシナリオによっては、連続するコンポーネントキャリアの間に少数の使用されないサブキャリアを挿入することによって、ｎ×３００ｋＨｚの間隔あけを容易にすることができる。
【００１９】
複数のキャリアをアグリゲートする影響は、ＭＡＣレイヤまでしか及ばない。ＭＡＣレイヤには、アップリンクおよびダウンリンクの両方において、アグリゲートされるコンポーネントキャリアごとに１つのＨＡＲＱエンティティが要求される。コンポーネントキャリアあたりのトランスポートブロックは、（アップリンクにおけるＳＵ−ＭＩＭＯを使用しない場合）最大１個である。トランスポートブロックおよびそのＨＡＲＱ再送信（発生時）は、同じコンポーネントキャリアにマッピングする必要がある。
【００２０】
キャリアアグリゲーションが設定される場合、移動端末は、ネットワークとの１つのＲＲＣ接続のみを有する。ＲＲＣ接続の確立／再確立においては、ＬＴＥ  Ｒｅｌ．８／９と同様に、１つのセルがセキュリティ入力（１つのＥＣＧＩ、１つのＰＣＩ、および１つのＡＲＦＣＮ）と、非アクセス層（ＮＡＳ：Non-Access Stratus）モビリティ情報（例えば、ＴＡＩ）とを提供する。ＲＲＣ接続の確立／再確立の後、そのセルに対応するコンポーネントキャリアは、ダウンリンクプライマリセル（ＰＣｅｌｌ：Primary Cell）と称する。接続状態では、ユーザ機器あたり常に１つのダウンリンクＰＣｅｌｌ（ＤＬ  ＰＣｅｌｌ）および１つのアップリンクＰＣｅｌｌ（ＵＬ  ＰＣｅｌｌ）が設定される。コンポーネントキャリアの設定されたセットにおいて、他のセルはセカンダリセル（ＳＣｅｌｌ：Secondary Cell）と呼ばれ、ＳＣｅｌｌのキャリアはダウンリンクセカンダリコンポーネントキャリア（ＤＬ  ＳＣＣ）およびアップリンクセカンダリコンポーネントキャリア（ＵＬ  ＳＣＣ）である。１つのＵＥに対しては、現在、最大５つのサービングセル（ＰＣｅｌｌを含む）を設定できる。
【００２１】
ＲＲＣによって、コンポーネントキャリアの設定および再設定のほか、追加および削除を実行可能である。アクティブ化および非アクティブ化については、例えばＭＡＣ制御エレメントを介して行われる。ＬＴＥ内ハンドオーバーにおいて、ＲＲＣは、対象セルにおいて使用するＳＣｅｌｌの追加、削除、または再設定も可能である。新しいＳＣｅｌｌを追加する場合は、（リリース８／９におけるハンドオーバーと同様に）送信／受信に必要なＳＣｅｌｌのシステム情報の送信に個別のＲＲＣシグナリングが用いられる。ＳＣｅｌｌが１つのＵＥに追加される場合、各ＳＣｅｌｌには、サービングセルインデックスが設定される。ＰＣｅｌｌのサービングセルインデックスは、常に０である。
【００２２】
ユーザ機器にキャリアアグリゲーションが設定されている場合は、常にアクティブな少なくとも一対のアップリンクおよびダウンリンクコンポーネントキャリアが存在する。対のダウンリンクコンポーネントキャリアは、「ＤＬアンカーキャリア」と称される場合もある。同じことがアップリンクにも当てはまる。キャリアアグリゲーションが設定されている場合は、複数のコンポーネントキャリア上で同時にユーザ機器がスケジューリングされるようになっていてもよいが、常に継続するランダムアクセス手順は、多くても１つである。クロスキャリアスケジューリングによれば、コンポーネントキャリアのＰＤＣＣＨは、別のコンポーネントキャリア上でリソースをスケジューリングできる。このため、各ＤＣＩ（ダウンリンク制御情報）フォーマットにおいては、ＣＩＦと称するコンポーネントキャリア識別フィールドが導入される。
【００２３】
ＲＲＣシグナリングにより確立されたアップリンクおよびダウンリンクコンポーネントキャリア間のリンクによれば、クロスキャリアスケジューリングが存在しない場合にグラントが適用されるアップリンクコンポーネントキャリアを識別できる。ダウンリンクコンポーネントキャリアのアップリンクコンポーネントキャリアへのリンクは、必ずしも１対１である必要はない。言い換えると、同じアップリンクコンポーネントキャリアに２つ以上のダウンリンクコンポーネントキャリアがリンクし得る。一方、１つのアップリンクコンポーネントキャリアには１つのダウンリンクコンポーネントキャリアのみがリンクし得る。
【００２４】
［アップリンク／ダウンリンクスケジューリング］
ｅＮｏｄｅＢにおけるＭＡＣ機能はスケジューリングを表し、この機能によってｅＮＢは、１つのセル中の利用可能な無線リソースをＵＥ間および各ＵＥの無線ベアラ間で分配する。原理上、ｅＮｏｄｅＢは、ｅＮｏｄｅＢにバッファリングされたダウンリンクデータおよびＵＥから受信されたＢＳＲ（Buffer Status report）にそれぞれ基づいて、ダウンリンクおよびアップリンクリソースを各ＵＥに割り当てる。このプロセスにおいて、ｅＮｏｄｅＢは、設定された各無線ベアラのＱｏＳ要件を考慮して、ＭＡＣ  ＰＤＵのサイズを選択する。
【００２５】
スケジューリングの通例モードは、ダウンリンク送信リソースを割り当てるダウンリンクグラント／割当てメッセージ（ＤＣＩ）およびアップリンク送信リソースを割り当てるアップリンクグラント／割当てメッセージによる動的なスケジューリングである。これらは、意図したＵＥを識別するＣ−ＲＮＴＩ（Cell Radio Network Temporary Identifier）を用いて物理ダウンリンク制御チャネル（ＰＤＣＣＨ：Physical Downlink Control Channel）上で送信される。動的なスケジューリングのほか、パーシステントなスケジューリングが規定されている。これは、無線リソースを準静的に設定するとともに、１サブフレームよりも長い期間にわたってＵＥに割り当てることを可能にし、各サブフレームに対してＰＤＣＣＨ上で特定のダウンリンク割当てメッセージまたはアップリンクグラントメッセージが必要になることはない。パーシステントなスケジューリングの設定または再設定の場合、ＲＲＣシグナリングは、無線リソースが周期的に割り当てられるリソース割当て間隔を指定する。パーシステントなスケジューリングの設定または再設定にＰＤＣＣＨが用いられる場合は、動的なスケジューリングに用いられるスケジューリングメッセージから、パーシステントなスケジューリングに適用されるスケジューリングメッセージを識別する必要がある。このため、セミパーシステントなスケジューリングのＣ−ＲＮＴＩ（ＳＰＳ−Ｃ−ＲＮＴＩ）として知られる特殊なスケジューリング識別情報が用いられるが、これはＵＥごとに、動的なスケジューリングのメッセージに用いられるＣ−ＲＮＴＩとは異なる。
【００２６】
スケジューリング対象のユーザに、ユーザの割当て状態、トランスポートフォーマット、およびその他の送信関連情報（例えば、ＨＡＲＱ情報、送信電力制御（ＴＰＣ：Transmit Power Control）コマンド）を通知する目的で、Ｌ１／Ｌ２制御シグナリングがデータとともにダウンリンクで送信される。Ｌ１／Ｌ２制御シグナリングは、サブフレーム内でダウンリンクデータとともに多重化される（ユーザ割当てがサブフレーム単位で変化し得ると仮定する）。ユーザ割当てを送信時間間隔（ＴＴＩ：Transmission Time Interval）ベースで実行することもできる、その場合、ＴＴＩ長がサブフレームの整数倍となり得ることに留意されたい。ＴＴＩ長は、サービスエリア内ですべてのユーザに対して一定であってもよいし、異なるユーザに対して異なる長さであってもよいし、ユーザごとに動的であってもよい。一般的に、Ｌ１／Ｌ２制御シグナリングは、ＴＴＩあたり１回送信すればよい。以下では、一般性を失うことなく、ＴＴＩが１サブフレームに等しいと仮定する。
【００２７】
Ｌ１／Ｌ２制御シグナリングは、物理ダウンリンク制御チャネル（ＰＤＣＣＨ）で送信される。ＰＤＣＣＨは、ダウンリンク制御情報（ＤＣＩ）としてのメッセージを伝える。ＤＣＩには、ほとんどの場合、移動端末またはＵＥのグループへのリソース割当ておよびその他の制御情報が含まれる。一般的には、複数のＰＤＣＣＨを１つのサブフレーム内で送信可能である。
【００２８】
ダウンリンク制御情報は、いくつかのフォーマットの形をとり、これらのフォーマットは、全体のサイズとそれぞれのフィールドに含まれる情報とが異なる。ＬＴＥについて現在規定されている様々なＤＣＩフォーマットは、非特許文献２の第５．３．３．１項“Multiplexing and channel coding”（ｈｔｔｐ：／／ｗｗｗ．３ｇｐｐ．ｏｒｇで入手可能であり、参照により本明細書に組み込まれている）に詳しく記載されている。ＤＣＩフォーマットに関する詳細な情報およびＤＣＩにおいて送信される特定の情報については、前述の技術規格または参照により本明細書に組み込まれている非特許文献３を参照されたい。将来的には、別のフォーマットが規定される可能性もある。
【００２９】
［レイヤ１／レイヤ２制御シグナリング］
スケジューリング対象のユーザに、ユーザの割当て状態、トランスポートフォーマット、およびその他の送信関連情報（例えば、ＨＡＲＱ情報、送信電力制御（ＴＰＣコマンド）を通知する目的で、Ｌ１／Ｌ２制御シグナリングがデータとともにダウンリンクで送信される。Ｌ１／Ｌ２制御シグナリングは、サブフレーム内でダウンリンクデータとともに多重化される（ユーザ割当てがサブフレーム単位で変化し得ると仮定する）。ユーザ割当てをＴＴＩ（送信時間間隔）ベースで実行することもできる。その場合、ＴＴＩ長がサブフレームの整数倍となり得ることに留意されたい。ＴＴＩ長は、サービスエリア内ですべてのユーザに対して一定であってもよいし、異なるユーザに対して異なる長さであってもよいし、ユーザごとに動的であってもよい。一般的に、Ｌ１／Ｌ２制御シグナリングは、ＴＴＩあたり１回送信すればよい。以下では、一般性を失うことなく、ＴＴＩが１サブフレームに等しいと仮定する。
【００３０】
Ｌ１／Ｌ２制御シグナリングは、物理ダウンリンク制御チャネル（ＰＤＣＣＨ）で送信される。ＰＤＣＣＨは、ダウンリンク制御情報（ＤＣＩ）としてのメッセージを伝える。ＤＣＩには、ほとんどの場合、移動端末またはＵＥのグループへのリソース割当ておよびその他の制御情報が含まれる。一般的には、複数のＰＤＣＣＨを１つのサブフレーム内で送信可能である。
【００３１】
３ＧＰＰ  ＬＴＥにおいて、アップリンクスケジューリンググラントまたはアップリンクリソース割当てとも称されるアップリンクデータ送信のための割当ては、ＰＤＣＣＨ上でも送信されることに留意されたい。さらに、３ＧＰＰリリース１１では、ＰＤＣＣＨと基本的に同じ機能を満たすＥＰＤＣＣＨが導入された。すなわち、詳細な送信方法はＰＤＣＣＨと異なるものの、Ｌ１／Ｌ２制御シグナリングが搬送される。さらなる詳細については、非特許文献１および非特許文献４の現行バージョンに見られるが、これらは参照により本明細書に組み込まれている。結果として、背景技術および実施形態において概説されるほとんどの項目は、特段の断りのない限り、ＰＤＣＣＨおよびＥＰＤＣＣＨ、またはＬ１／Ｌ２制御シグナリングを搬送する他の手段に当てはまる。
【００３２】
一般的に、アップリンク無線リソースまたはダウンリンク無線リソースを割り当てる目的でＬ１／Ｌ２制御シグナリングで送られる情報は（特にＬＴＥ（−Ａ）リリース１０）、以下の項目に分類可能である。
−  ユーザ識別情報（User Identity）：割り当てる対象のユーザを示す。この情報は通常、ＣＲＣをユーザ識別情報によってマスクすることによりチェックサムに含まれる。
−  リソース割当て情報（Resource Allocation Information）：ユーザが割り当てられるリソース（例えば、リソースブロック（ＲＢ））を示す。あるいは、この情報は、リソースブロック割当て（ＲＢＡ：Resource Block Assignment）と称する。なお、ユーザが割り当てられるＲＢの数は、動的とすることができる。
−  キャリアインジケータ（Carrier indicator）：第１のキャリアで送信される制御チャネルが、第２のキャリアに関連するリソース（すなわち第２のキャリアのリソースまたは第２のキャリアに関連するリソース）を割り当てる場合に使用される（クロスキャリアスケジューリング）。
−  変調・符号化方式（Modulation and coding scheme）：採用される変調方式および符号化率を決定する。
−  ＨＡＲＱ情報：データパケットまたはその一部の再送信時に特に有用である新規データインジケータ（ＮＤＩ：New Data Indicator）および／または冗長バージョン（ＲＶ：Redundancy Version）等。
−  電力制御コマンド：割当て対象のアップリンクのデータまたは制御情報の送信時の送信電力を調整する。
−  参照信号情報：割当て対象の参照信号の送信または受信に使用される適用される循環シフトおよび／または直交カバーコード（ＯＣＣ）インデックス等。
−  アップリンク割当てインデックスまたはダウンリンク割当てインデックス：割当ての順序を識別するために使用され、ＴＤＤシステムにおいて特に有用である。
−  ホッピング情報：例えば、周波数ダイバーシチを増大させる目的でリソースホッピングを適用するか否か、および適用方法を指示情報。
−  ＣＳＩ要求：割り当てられるリソースにおいてチャネル状態情報（Channel State Information）を送信するようにトリガーするために使用される。
−  マルチクラスタ情報：シングルクラスタ（ＲＢの連続的なセット）で送信を行うか、マルチクラスタ（連続的なＲＢの少なくとも２つの不連続なセット）で送信を行うかを指示して制御するために使用されるフラグである。マルチクラスタ割当ては、３ＧＰＰ  ＬＴＥ−（Ａ）リリース１０により導入されている。
【００３３】
上記リストは、すべてを網羅したものではなく、また、使用されるＤＣＩフォーマットによっては、前述の情報項目すべてを各ＰＤＣＣＨ送信に含める必要はないことに留意されたい。
【００３４】
ダウンリンク制御情報は、いくつかのフォーマットの形をとり、これらのフォーマットは、全体のサイズと、上述したフィールドに含まれる情報とが異なる。以下、ＬＴＥについて現在規定されている一部のＤＣＩフォーマットを一覧する。より詳細な情報については、非特許文献５の、特に第５．３．３．１項“DCI formats”に示されており、参照により本明細書に組み込まれている。
−  フォーマット０：ＤＣＩフォーマット０は、ＰＵＳＣＨのリソースグラントの送信に用いられ、アップリンク送信モード１または２において単一アンテナポート送信を使用する。
−  フォーマット１：ＤＣＩフォーマット１は、単一コードワードＰＤＳＣＨ送信のリソース割当ての送信に用いられる（ダウンリンク送信モード１、２、および７）。
−  フォーマット１Ａ：ＤＣＩフォーマット１Ａは、単一コードワードＰＤＳＣＨ送信のリソース割当てのコンパクトシグナリングおよび（すべての送信モードについて）コンテンションのないランダムアクセス（contention-free random access）のための移動端末への個別プリアンブルシグネチャの割当てに用いられる。
−  フォーマット１Ｂ：ＤＣＩフォーマット１Ｂは、ランク１送信（ダウンリンク送信モード６）の閉ループプリコーディングを用いたＰＤＳＣＨ送信のリソース割当てのコンパクトシグナリングに用いられる。送信される情報は、フォーマット１Ａと同じであるが、これに追加して、プリコーディングベクトルのインジケータがＰＤＳＣＨ送信に適用される。
−  フォーマット１Ｃ：ＤＣＩフォーマット１Ｃは、ＰＤＳＣＨ割当ての非常にコンパクトな送信に用いられる。フォーマット１Ｃが用いられる場合、ＰＤＳＣＨ送信は、ＱＰＳＫ変調の使用に制限される。これは、例えばページングメッセージおよびブロードキャストシステム情報メッセージのシグナリングに用いられる。
−  フォーマット１Ｄ：ＤＣＩフォーマット１Ｄは、マルチユーザＭＩＭＯを用いたＰＤＳＣＨ送信のリソース割当てのコンパクトシグナリングに用いられる。送信される情報は、フォーマット１Ｂと同じであるが、プリコーディングベクトルインジケータのビットのうちの１つの代わりとして、電力オフセットがデータシンボルに適用されるかを示す単一のビットが存在する。この特徴は、送信電力が２つのＵＥ間で共有されるか否かを示すのに必要である。このことは、ＬＴＥの将来バージョンにおいて、より多くのＵＥ間での電力共有の場合へと拡張される可能性がある。
−  フォーマット２：ＤＣＩフォーマット２は、閉ループＭＩＭＯ動作に関するＰＤＳＣＨのリソース割当ての送信に用いられる（送信モード４）。
−  フォーマット２Ａ：ＤＣＩフォーマット２Ａは、開ループＭＩＭＯ動作に関するＰＤＳＣＨのリソース割当ての送信に用いられる。送信される情報は、フォーマット２と同じであるが、ｅＮｏｄｅＢが２つの送信アンテナポートを有する場合はプリコーディング情報が存在せず、アンテナポートが４つの場合は送信ランクを示すのに２つのビットが用いられる（送信モード３）。
−  フォーマット２Ｂ：リリース９にて導入され、二重レイヤビームフォーミングに関するＰＤＳＣＨのリソース割当ての送信に用いられる（送信モード８）。
−  フォーマット２Ｃ：リリース１０にて導入されたフォーマットであり、最大８レイヤの閉ループシングルユーザまたはマルチユーザＭＩＭＯ動作に関するＰＤＳＣＨのリソース割当ての送信に用いられる（送信モード９）。
−  フォーマット２Ｄ：リリース１１にて導入されたフォーマットであり、最大８レイヤの送信に用いられ、主としてＣＯＭＰ（Cooperative Multipoint：協調マルチポイント）に用いられる（送信モード１０）。
−  フォーマット３および３Ａ：ＤＣＩフォーマット３および３Ａは、それぞれ２ビットまたは１ビットの電力調整を伴うＰＵＣＣＨおよびＰＵＳＣＨの電力制御コマンドの送信に用いられる。これらのＤＣＩフォーマットには、ＵＥ群に対する個々の電力制御コマンドを含む。
−  フォーマット４：ＤＣＩフォーマット４は、アップリンク送信モード２における閉ループ空間多重化送信を用いたＰＵＳＣＨのスケジューリングに用いられる。
−  フォーマット５：ＤＣＩフォーマット５は、物理サイドリンク制御チャネル（ＰＳＣＣＨ：Physical Sidelink Control Channel）のスケジューリングに用いられるとともに、物理サイドリンク共有制御チャネル（ＰＳＳＣＨ：Physical Sidelink Shared Control Channel）のスケジューリングに用いられる複数のＳＣＩフォーマット０フィールドを含む。所与のサーチスペースにマッピングされたＤＣＩフォーマット５の情報ビット数が同じサービングセルをスケジューリングするフォーマット０のペイロードサイズよりも小さい場合は、ペイロードサイズがフォーマット０に付加されたパディングビットを含めてフォーマット０のペイロードサイズと等しくなるまで、フォーマット５にゼロが付加される。
【００３５】
［アンライセンスバンドのＬＴＥ−ＬＡＡ（Licensed−Assisted Access）］
２０１４年９月、３ＧＰＰは、アンライセンススペクトル上でのＬＴＥ動作に関する新たなStudy Itemを開始した。ＬＴＥをアンライセンスバンドに拡張する理由は、ライセンスバンドの制約量と併せて無線広帯域データに対する需要がますます増加していることである。したがって、サービス提供を拡大させる補完ツールとして、セルラー事業者がアンライセンススペクトルをより考慮している。Ｗｉ−Ｆｉ等の他の無線アクセス技術（ＲＡＴ）への依拠と比較した場合のアンライセンスバンドにおけるＬＴＥの１つの利点として、アンライセンススペクトルアクセスによるＬＴＥプラットフォームの補完により、事業者および供給業者は、ＬＴＥ／ＥＰＣハードウェアへの既存または計画投資を無線コアネットワークに利用可能である。
【００３６】
ただし、Ｗｉ−Ｆｉ等のアンライセンススペクトルにおける他の無線アクセス技術（ＲＡＴ）との共存が不可欠であることから、アンライセンススペクトルアクセスとライセンススペクトルアクセスの品質の一致があり得ないことを考慮する必要がある。したがって、少なくとも最初のうち、アンライセンスバンドのＬＴＥ動作は、アンライセンススペクトルにおける単独動作ではなく、ライセンススペクトル上のＬＴＥの補完と考えられる。この仮定に基づいて、３ＧＰＰは、少なくとも１つのライセンスバンドと併せてアンライセンスバンドのＬＴＥ動作用のライセンスアシストアクセス（ＬＡＡ）という用語を確立した。ただし、アンライセンススペクトル上すなわちライセンスセルによるアシストのないＬＴＥの将来的な独立動作についても除外しない。拡張ライセンスアシストアクセス（ｅＬＡＡ：Enhanced Licensed Assisted Access）は、ＬＡＡの拡張であり、特にアップリンクにおいても同様にアンライセンススペクトルを利用する。ライセンススペクトルの補完としてアンライセンススペクトルを効率的に使用すれば、サービスプロバイダひいては無線産業全体として大きな価値がもたらされる可能性がある。アンライセンススペクトルにおいてＬＴＥ動作の十分な恩恵を利用するには、すでに規定されたＤＬアクセス方式に加えて、完全なＵＬアクセス方式を規定するのが最も重要である。
【００３７】
３ＧＰＰにおいて現在計画されている一般的なＬＡＡ手法では、すでに具体化されているＲｅｌ．１２のキャリアアグリゲーション（ＣＡ：Carrier Aggregation）フレームワークを可能な限り利用するが、前述のＣＡフレームワーク設定には、いわゆるプライマリセル（ＰＣｅｌｌ）キャリアおよび１つまたは複数のセカンダリセル（ＳＣｅｌｌ）キャリアを含む。ＣＡは一般的に、セルの自己スケジューリング（スケジューリング情報およびユーザデータが同じコンポーネントキャリア上で送信される）およびセル間のクロスキャリアスケジューリング（ＰＤＣＣＨ／ＥＰＤＣＣＨに関するスケジューリング情報およびＰＤＳＣＨ／ＰＵＳＣＨに関するユーザデータが異なるコンポーネントキャリア上で送信される）の両者をサポートする。
【００３８】
ライセンスＰＣｅｌｌ、ライセンスＳＣｅｌｌ１、および様々なアンライセンスＳＣｅｌｌ２、３、および４（スモールセルとして例示）を含むごく基本的なシナリオを図４に示す。アンライセンスＳＣｅｌｌ２、３、および４の送信／受信ネットワークノードとしては、ｅＮＢが管理するリモート無線ヘッドも可能であるし、ネットワークにアタッチされるもののｅＮＢが管理しないノードも可能である。簡単化のため、図中、ｅＮＢまたはネットワークに対するこれらのノードの接続は、明示的に示していない。
【００３９】
現在、３ＧＰＰを想定した基本的な手法としては、ＰＣｅｌｌがライセンスバンドで動作する一方、１つまたは複数のＳＣｅｌｌがアンライセンスバンドで動作することになる。この方法の１つの利点として、例えば音声または動画等、高いサービス品質（ＱｏＳ）が求められる制御メッセージおよびユーザデータの確実な送信にＰＣｅｌｌを使用可能である一方、アンライセンススペクトルにおけるＳＣｅｌｌでは、シナリオに応じて、他のＲＡＴとの共存が不可欠であることによるある程度のＱｏＳの低下が生じる可能性もある。
【００４０】
ＬＡＡは、５ＧＨｚのアンライセンスバンドに焦点を当てることに合意している。このため、最も重要な問題の１つとして、これらのアンライセンスバンドで動作するＷｉ−Ｆｉ（ＩＥＥＥ  ８０２．１１）システムとの共存が挙げられる。ＬＴＥとＷｉ−Ｆｉ等の他のテクノロジとの公平な共存のほか、同じアンライセンスバンドの異なるＬＴＥ事業者間の公平性をサポートするため、地域および特定の周波数帯によって一部が決まり得る特定組の規制ルールにより、アンライセンスバンドの場合のＬＴＥのチャネルアクセスを順守する必要がある。５ＧＨｚのアンライセンスバンドにおける動作の場合の全地域の規制要件の包括的な説明については、非特許文献６（参照により本明細書に組み込まれている）のほか、非特許文献７に記載されている。地域および帯域に応じて、ＬＡＡ手順の設計時に考慮すべき規制要件には、動的周波数選択（ＤＦＳ：Dynamic Frequency Selection）、送信電力制御（ＴＰＣ：Transmit Power Control）、リッスンビフォアトーク（ＬＢＴ：Listen Before Talk）、および最大送信持続時間が制限された不連続送信を含む。３ＧＰＰの目的は、ＬＡＡ用の単一のグローバルフレームワークを対象とすることであり、基本的には、５ＧＨｚの様々な地域および帯域に関するすべての要件をシステム設計に考慮する必要があることを意味する。
【００４１】
例えば、欧州においては、公称チャネル帯域幅（Nominal Channel Bandwidth）の特定の限界が設定されており、非特許文献８の第４．３項から明らかである（参照により本明細書に組み込まれている）。公称チャネル帯域幅は、単一のチャネルに割り当てられたガード帯域を含む最も広い周波数帯である。占有チャネル帯域幅は、信号の電力の９９％を含む帯域幅である。デバイスは、１つまたは複数の隣接または非隣接チャネルにおいて同時に動作可能である。
【００４２】
ＬＢＴ手順は、機器がチャネルの使用前にクリアチャネル評価（ＣＣＡ：Clear Channel Assessment）チェックを適用するメカニズムとして規定されている。ＣＣＡでは、少なくともエネルギ検出を利用して、チャネル上の他の信号の有無を判定することにより、チャネルの占有またはクリアをそれぞれ判定する。現在の欧州および日本の規制では、アンライセンスバンドにおけるＬＢＴの使用が必要である。規制要件を別として、ＬＢＴを介したキャリアセンシングがアンライセンススペクトルの公平な共有のための１つの方法であることから、単一のグローバルソリューションフレームワークにおいては、アンライセンススペクトルにおける公平かつフレンドリな動作に不可欠の特徴と考えられる。
【００４３】
アンライセンススペクトルにおいては、チャネル可用性が常に保証されることはない。また、欧州および日本等の特定の地域では、アンライセンススペクトルにおける連続送信を禁止し、送信バーストの最大持続時間に制限を設けている。このため、最大送信持続時間が制限された不連続送信がＬＡＡの必要な機能である。レーダシステムからの干渉を検出し、これらのシステムとの同一チャネル動作を回避するため、特定の地域および帯域にはＤＦＳが求められる。その意図はさらに、スペクトルの均一に近い負荷を実現することである。ＤＦＳ動作および対応する要件は、マスター／スレーブ原理と関連付けられている。マスターは、レーダ干渉を検出するが、マスターと関連付けられた別のデバイスに依拠して、レーダ検出を実行可能である。
【００４４】
ほとんどの地域において、５ＧＨｚのアンライセンスバンド上の動作は、ライセンスバンド上の動作よりも低い送信電力レベルに制限されて、カバレッジエリアが小さくなる。ライセンスキャリアおよびアンライセンスキャリアが同一の電力で送信されるとしても、通例は、信号の経路損失およびシャドーイング効果の増大によって、５ＧＨｚ帯のアンライセンスキャリアが２ＧＨｚ帯のライセンスセルよりも小さなカバレッジエリアをサポートすることが予想される。特定の地域および帯域の別の要件として、他のデバイスが同じアンライセンスバンドで動作する場合に生じる干渉の平均レベルを抑えるためのＴＰＣの利用がある。
【００４５】
詳細な情報については非特許文献８に見られるが、これは、参照により本明細書に組み込まれている。
【００４６】
デバイスは、ＬＢＴに関する欧州規制に従って、データ送信で無線チャネルを占有する前に、クリアチャネル評価（ＣＣＡ）を実行する必要がある。例えばエネルギ検出に基づいてチャネルが空いていることを検出して初めて、アンライセンスチャネル上の送信を開始できる。特に、機器は、ＣＣＡの間、一定の最小時間（例えば、欧州の場合は２０μｓ（非特許文献８の第４．８．３項参照））に渡ってチャネルを観測する必要がある。チャネルは、検出されたエネルギレベルがＣＣＡの設定閾値（例えば、欧州の場合は−７３ｄＢｍ／ＭＨｚ（非特許文献８の第４．８．３項参照））を超える場合に、占有されていると考えられる。逆に、検出された電力レベルがＣＣＡの設定閾値を下回る場合は、空いていると考えられる。チャネルが占有されていると判定された場合は、次の固定フレーム期間におけるチャネル上の送信は行われないとする。チャネルが空きに分類されると、機器は、直ちに送信可能である。これにより、最大送信持続時間が制限されて、同じ帯域上で動作する他のデバイスとの公平なリソース共有が容易化される。
【００４７】
ＣＣＡのエネルギ検出は、チャネル帯域幅全体（例えば、５ＧＨｚのアンライセンスバンドにおける２０ＭＨｚ）にわたって実行される。これは、チャネル内のＬＴＥ  ＯＦＤＭシンボルのすべてのサブキャリアの受信電力レベルが、ＣＣＡを実行したデバイスで評価されるエネルギレベルに寄与することを意味する。
【００４８】
上述のＣＣＡのほか、参照により本明細書に組み込まれている非特許文献８の第４．９．２．２項の記載に従って機器がロードベース機器（ＬＢＥ：Load Based Equipment）として分類されている場合は、別の拡張ＣＣＡ（ＥＣＣＡ）の適用が求められる可能性もある。ＥＣＣＡには、ランダム係数ＮにＣＣＡ観測時間スロットを乗じた持続時間に渡る別のＣＣＡ観測時間を含む。Ｎは、送信の開始前に観測する必要がある総アイドル期間となるクリアアイドルスロット数を規定する。
【００４９】
さらに、チャネルの可用性の再評価（すなわち、ＬＢＴ／ＣＣＡ）なく機器が所与のキャリア上で送信を行う合計時間は、チャネル占有時間として規定されている（非特許文献８の第４．８．３．１項参照）。チャネル占有時間は、１ｍｓ〜１０ｍｓの範囲とする。ただし、欧州で現在規定されているように、最大チャネル占有時間は、例えば４ｍｓとすることも可能である。さらに、アンライセンスセルでの送信後にＵＥが送信を行えない最小アイドル時間も存在しており、この最小アイドル時間は、少なくともチャネル占有時間の５％である。アイドル期間の最後に、ＵＥは、新しいＣＣＡ等を実行できる。この送信挙動を図５に模式的に示すが、この図は、非特許文献８（図２"Example of timing for Frame Based Equipment"）に由来する。
【００５０】
図６は、特定の周波数帯（アンライセンスセル）上のＷｉ−Ｆｉ送信とＬＡＡ  ＵＥ送信との間のタイミングを示している。図６から分かるように、Ｗｉ−Ｆｉバーストの後は、例えば次のサブフレーム境界まで予約信号を送信することによってｅＮＢがアンライセンスセルを「予約する」前に、少なくともＣＣＡギャップが必要である。その後、実際のＬＡＡ  ＤＬバーストが開始となる。このことは、ＣＣＡの実行に成功後、予約信号を送信して実際のＬＡＡ  ＵＬバーストを開始することによりサブフレームを予約するＬＴＥ  ＵＥにも同様に当てはまることになる。
【００５１】
［アンライセンスセルにおけるアップリンクスケジューリング］
ｅＬＡＡに対しては、単一サブフレームおよび複数サブフレームのグラントならびにそれぞれの単一および複数のアンテナポートのアップリンク送信（ＰＵＳＣＨ）をサポートするため、ＤＣＩフォーマット０Ａ、０Ｂ、４Ａ、および４Ｂが提供されている。
・  ＤＣＩフォーマット０Ａ：単一サブフレーム、単一アンテナポート
・  ＤＣＩフォーマット０Ｂ：複数サブフレーム、単一アンテナポート
・  ＤＣＩフォーマット４Ａ：単一サブフレーム、複数アンテナポート
・  ＤＣＩフォーマット４Ｂ：複数サブフレーム、複数アンテナポート
【００５２】
これらのＤＣＩフォーマットの詳細については、参照により本明細書に組み込まれている非特許文献５の第５．３．３．１．１Ａ項、第５．３．３．１．１Ｂ項、第５．３．３．１．８Ａ項、第５．３．３．１．８Ｂ項に見られる。
【００５３】
これらのＤＣＩフォーマット（すなわち、アップリンクグラント）のいずれかは、１段階グラントまたは２段階グラントの一部のいずれかとすることができる。ＬＴＥにおける現行の例示的な実施態様（非特許文献５参照）においては、ビット値が０の場合に受信アップリンクグラントが「非トリガースケジューリング」用（すなわち、１段階アップリンクグラント）であるか、ビット値が１の場合に「トリガースケジューリング」用（すなわち、２段階アップリンクグラント）であるかを区別する１ビットのフィールドである「ＰＵＳＣＨトリガーＡ」フィールドによって反映される。これは、ＵＥに対する無線リソースのスケジューリングを担う無線ネットワークエンティティであるｅＮＢによって制御可能である。
【００５４】
２段階アップリンクスケジューリング手順においては、ＵＥによる特定方法での２つの別個のメッセージ（「トリガーＡ」および「トリガーＢ」）の受信により、１つのアップリンク送信をスケジューリングする必要がある。
【００５５】
トリガーＡメッセージとしては、上記アップリンクグラント（すなわち、ＤＣＩフォーマット０Ａ、０Ｂ、４Ａ、または４Ｂ）のいずれかが可能である。この２段階グラントに関して、４つのＤＣＩフォーマットには、非特許文献５において現在規定されている通り、以下のデータフィールドを含む。
「ＰＵＳＣＨトリガーＡ（１ビット）：［３］の第８．０項に規定されている通り、値０が非トリガースケジューリングを示し、値１がトリガースケジューリングを示す。
タイミングオフセット（４ビット）：［３］に規定されている。
トリガースケジューリングのフラグが０に設定されている場合、
このフィールドは、ＰＵＳＣＨ送信の絶対タイミングオフセットを示す。
それ以外の場合、
このフィールドの最初の２つのビットは、ＰＵＳＣＨ送信の相対タイミングオフセットを示す。
このフィールドの最後の２つのビットは、トリガースケジューリングによるＰＵＳＣＨのスケジューリングが有効な時間ウィンドウを示す。」
【００５６】
また、トリガーＡメッセージに利用可能なＤＣＩフォーマットには、「リソースブロック割当て（Resource block assignment）」フィールド、「変調・符号化方式（Modulation and coding scheme）」フィールド、「ＨＡＲＱプロセス番号」フィールド等、アップリンク送信用にスケジューリングされた無線リソースを示す通常のデータフィールドを含む。さらに、ＤＣＩフォーマット０Ａ、０Ｂ、４Ａ、４Ｂ（特に、ＤＣＩ  ＣＲＣ）は、ＵＥ固有の識別情報（Ｃ−ＲＮＴＩ等）によるスクランブルによって、対応するアップリンクグラントが特定のＵＥに対してアドレス指定されるようにすることができる。
【００５７】
トリガーＢメッセージは、参照により本明細書に組み込まれている非特許文献５の第５．３．３．１．４項に現在規定されている通り、ＤＣＩフォーマット１Ｃを有する。２段階グラント手順を含むアンライセンスキャリア送信の範囲内で用いられる技術規格において現在規定されているＤＣＩフォーマット１Ｃは、以下の通りである。
「それ以外
ＬＡＡのサブフレーム設定（４ビット）：［３］の第１３Ａ項に規定されている。
アップリンク送信持続時間およびオフセット指定（５ビット）：［３］の第１３Ａ項に規定されている。このフィールドは、ＬＡＡ  ＳＣｅｌｌ上でアップリンク送信が設定されたＵＥに対してのみ当てはまる。
ＰＵＳＣＨトリガーＢ（１ビット）：［３］の第８．０項に規定されている。このフィールドは、ＬＡＡ  ＳＣｅｌｌ上でアップリンク送信が設定されたＵＥに対してのみ当てはまる。
１つのＰＤＳＣＨコードワードの非常にコンパクトなスケジューリングに用いられるフォーマット１Ｃのサイズと等しくなるまで、予約情報ビットが追加される。」
【００５８】
上述の通り、２段階グラント手順の一部として使用されている場合のトリガーＢメッセージ（ＤＣＩフォーマット１Ｃ）は通例、特定のＵＥに対してアドレス指定されるのではなく、ｅＮＢによる共有識別情報（この場合は、共通の制御ＰＤＣＣＨ情報を提供する状況において使用されるＲＮＴＩであるＣＣ−ＲＮＴＩ（Common Control RNTI）（参照により本明細書に組み込まれている非特許文献９参照））の使用によって、ＤＣＩフォーマット１Ｃ、特にそのＣＲＣをスクランブル可能である。
【００５９】
非特許文献５の上記引用における相互参照「［３］」は、非特許文献４を表しており、その少なくとも第８．０項および第１３項が２段階グラントに関連するため、そのすべてが参照により本明細書に組み込まれている。
【００６０】
特に、非特許文献４の第８項は、ＬＡＡ  ＳＣｅｌｌについて、アップリンク送信（すなわち、ＰＵＳＣＨ）の実行タイミングおよび方法をより詳細に規定している。
「ＬＡＡ  ＳＣｅｌｌであるサービングセルに対して、ＵＥは、
ＵＥを対象としたサブフレームｎにおいて、ＤＣＩフォーマット０Ａ／０Ｂ／４Ａ／４Ｂで「ＰＵＳＣＨトリガーＡ」フィールドが「０」に設定されたＰＤＣＣＨ／ＥＰＤＣＣＨの検出に際して、または
ＵＥを対象としたサブフレームｎ−ｖから最も新しいサブフレームにおいて、ＤＣＩフォーマット０Ａ／０Ｂ／４Ａ／４Ｂで「ＰＵＳＣＨトリガーＡ」フィールドが「１」に設定されたＰＤＣＣＨ／ＥＰＤＣＣＨの検出およびサブフレームｎにおいて、ＤＣＩ  ＣＲＣがＣＣ−ＲＮＴＩによりスクランブルされ、「ＰＵＳＣＨトリガーＢ」フィールドが「１」に設定されたＰＤＣＣＨの検出に際して、
ＰＤＣＣＨ／ＥＰＤＣＣＨおよびＨＡＲＱプロセスＩＤ  ｍｏｄ（ｎＨＡＲＱ＿ＩＤ＋ｉ，ＮＨＡＲＱ）に従ってサブフレームｎ＋ｌ＋ｋ＋ｉ（ｉ＝０、１、・・・、Ｎ−１）で、第１５．２．１項に記載のチャネルアクセス手順を条件として、対応するＰＵＳＣＨ送信を実行する。ここで、
ＤＣＩフォーマット０Ａ／４Ａの場合はＮ＝１であり、Ｎの値は、対応するＤＣＩフォーマット０Ｂ／４Ｂ中の「スケジューリングされたサブフレーム数」フィールドによって決まる。
ＵＥには、ＤＣＩフォーマット０Ｂの場合の上位レイヤパラメータｍａｘＮｕｍｂｅｒＯｆＳｃｈｅｄＳｕｂｆｒａｍｅｓ−Ｆｏｒｍａｔ０ＢおよびＤＣＩフォーマット４Ｂの場合の上位レイヤパラメータｍａｘＮｕｍｂｅｒＯｆＳｃｈｅｄＳｕｂｆｒａｍｅｓ−Ｆｏｒｍａｔ４Ｂによって、Ｎの最大値が設定される。
ｋの値は、「ＰＵＳＣＨトリガーＡ」フィールドが「０」に設定されている場合は表８．２ｄに従い、それ以外の場合は表８．２ｅに従って、対応するＤＣＩ０Ａ／０Ｂ／４Ａ／４Ｂ中のスケジューリング遅延フィールドによって決まる。
ｎＨＡＲＱ＿ＩＤの値は、対応するＤＣＩフォーマット０Ａ／０Ｂ／４Ａ／４Ｂ中のＨＡＲＱプロセス番号フィールによって決まり、ＮＨＡＲＱ＝１６である。
対応するＤＣＩフォーマット０Ａ／０Ｂ／４Ａ／４Ｂにおいて「ＰＵＳＣＨトリガーＡ」フィールドが「０」に設定されている場合は、
ｌ＝４、
それ以外の場合、
ｌの値は、第１３Ａ項の手順に従ってＣＣ−ＲＮＴＩによりＣＲＣがスクランブルされ、「ＰＵＳＣＨトリガーＢ」フィールドが「１」に設定された対応するＤＣＩ中の「ＬＡＡに対するＵＬ設定」フィールドによって決まるＵＬオフセットであり、
ｖの値は、表８．２ｆに従って、「ＰＵＳＣＨトリガーＡ」フィールドが「１」に設定されたＤＣＩフォーマット０Ａ／０Ｂ／４Ａ／４Ｂの対応するＰＤＣＣＨ／ＥＰＤＣＣＨ中の有効持続時間フィールドによって決まり、
ＵＥがサポートするｌ＋ｋの最小値は、ＵＥ−ＥＵＴＲＡ−Ｃａｐａｂｉｌｉｔｙに含まれる。
【表１】
2019537347.tif 000003
【表２】
2019537347.tif 000004
【表３】
2019537347.tif 000005
【００６１】
以上のように、現行の３ＧＰＰ技術規格は、２段階グラント手順の実行方法をより詳しく規定している。ただし、現在標準化されている上述の２段階グラント手順の規定は、引き続き変更および改良がなされるため、将来的に変更となり得ることに留意されたい。その結果、現行の３ＧＰＰ技術規格に係る２段階グラント手順の上記引用実装形態は、例示的な一実装形態に過ぎず、多くの詳細が本発明には重要でないと考えられる。
【００６２】
それにも関わらず、本発明に対して、２段階グラント手順の背後の基本概念が上述と同じままであることを仮定する。特に、図７に関して基本概念を説明するが、この図は、トリガーＡおよびトリガーＢメッセージを含むＤＣＩの送受信を含む２段階グラントの機能を示している。以下の例示的な説明に対しては、ＵＥにおいてトリガーＢ（すなわち、第２段階アップリンクスケジューリングメッセージ）が受信されるサブフレームを参照サブフレームｎとして取得することにより図示のサブフレームが番号付けされ、これに応じて先行および後続サブフレームが番号付けされると仮定する。さらに、トリガーＡメッセージがサブフレームｎ−３で受信され、２段階グラント手順を有効に実行可能な長さｖの時間ウィンドウが規定されると仮定する。換言すると、時間ウィンドウは、トリガーＢメッセージを受信し、トリガーＡおよび／またはトリガーＢメッセージが示す送信パラメータに基づいて、対応するアップリンク送信を実際にトリガーし得る期間を規定すると考えられる。
【００６３】
時間ウィンドウ長ｖは、非特許文献５および非特許文献４の表８．２ｆにおいて、ＤＣＩフォーマット０Ａ、０Ｂ、４Ａ、４Ｂのタイミングオフセットフィールドの最後の２ビットによる上記例示の通り、トリガーＡメッセージ内で例示的に示すことができる。
【００６４】
トリガーＢメッセージがサブフレームｎで受信された場合、ＵＥは、（トリガーＢメッセージの受信直前の開始すなわちｎ−１〜ｎ−ｖの範囲の）長さｖの時間ウィンドウ内で関連するトリガーＡメッセージがＵＥにより受信されたかを判定することになる。図示のシナリオにおいて、トリガーＡスケジューリングメッセージは、サブフレームｎ−３ひいては時間ウィンドウ内に受信されているため、ＵＥにおいてアップリンク送信がトリガーされる。そして、特定の送信タイミングオフセットにより、サブフレームｎ＋オフセットにおいてアップリンク送信（すなわち、ＰＵＳＣＨ）が実行される。ＵＥは、トリガーＡメッセージおよびトリガーＢメッセージにおいて受信された情報に従い、例えば指定された無線リソースおよび変調・符号化方式等を用いて、アップリンク送信を実行してもよい。
【００６５】
本発明において、厳密なＰＵＳＣＨタイミングオフセットは重要ではない。例示として、非特許文献４で現在標準化されている通り、ＰＵＳＣＨタイミングオフセットは、「ｌ＋ｋ＋ｉ」である。ここで、パラメータｌはトリガーＢメッセージにより規定され（非特許文献５および非特許文献４の表１３Ａ−２のＤＣＩフォーマット１Ｃの「アップリンク送信持続時間およびオフセット指定」フィールド参照）、パラメータｋはトリガーＡメッセージにより規定される（非特許文献５および非特許文献４の表８．２ｅのＤＣＩフォーマット０Ａ、０Ｂ、４Ａ、および４Ｂのいずれかの「タイミングオフセット」フィールドの最初の２ビット参照）。パラメータｉは、複数のアップリンクサブフレームが２段階アップリンクスケジューリング手順によりスケジューリングされる場合に適用可能であり、この場合は、０から（許可されたサブフレーム数−１）まで動く（それ以外の場合は０のままである）。より詳しくは、非特許文献４の上記引用した第８項から導くことができる。ただし、この２段階アップリンクスケジューリング手順に従ってアップリンク送信を実行するＰＵＳＣＨタイミングオフセットは、異なる規定がなされていてもよいし、予め決定されてもよい。
【００６６】
前述の通り、３ＧＰＰは、アンライセンスセルにおけるアップリンク送信の２段階スケジューリング手順を規定している。ただし、この２段階スケジューリング手順は、さらに改善可能である。
【先行技術文献】
【非特許文献】
【００６７】
【非特許文献１】3GPP TS 36.211, current version 12.6.0
【非特許文献２】3GPP TS 36.212, current version v12.6.0
【非特許文献３】LTE - The UMTS Long Term Evolution - From Theory to Practice, Edited by Stefanie Sesia, Issam Toufik, Matthew Baker, Chapter 9.3
【非特許文献４】3GPP TS 36.213
【非特許文献５】3GPP TS 36.212 v14.0.0
【非特許文献６】R1-144348, “Regulatory Requirements for Unlicensed Spectrum”, Alcatel-Lucent et al., RAN1#78bis, Sep. 2014
【非特許文献７】3GPP Technical Report 36.889, current version 13.0.0
【非特許文献８】the European standard ETSI EN 301 893, current version 1.8.1
【非特許文献９】3GPP TS 36.321 v14.0.0
【非特許文献１０】3GPP technical standard TS 36.212
【非特許文献１１】TS 36.213 v14.0.0
【発明の概要】
【発明が解決しようとする課題】
【００６８】
非限定的かつ例示的な実施形態は、アンライセンスセル内のユーザ機器により実行されるアップリンク送信のスケジューリングに関与する改良された方法、ユーザ機器、および無線基地局を提供する。独立請求項は、非限定的かつ例示的な実施形態を提供する。有利な実施形態は、従属請求項の対象である。
【００６９】
本明細書に記載された態様のうちのいくつかの実装形態によれば、アンライセンスセルを介するアップリンク送信のスケジューリングが改良される。
【課題を解決するための手段】
【００７０】
それに応じて、一般的な１つの第１の態様において、ここに開示の技術は、アップリンク無線リソースがスケジューリングされるユーザ機器を特徴とする。ユーザ機器と少なくとも１つのアンライセンスセル上のアップリンク無線リソースのスケジューリングを担う無線基地局との間の通信に対してアンライセンスセルが設定されている。このＵＥの受信機は、アンライセンスセルを介したアップリンク送信の実行にユーザ機器が使用可能なアップリンク無線リソースを示す第１段階アップリンクリソーススケジューリングメッセージを無線基地局から受信する。ＵＥのプロセッサは、この第１段階アップリンクリソーススケジューリングメッセージが有効か否かを判定する。プロセッサによる判定は、第１段階アップリンクリソーススケジューリングメッセージにおける１つまたは複数のデータフィールドの１つまたは複数のビットがそれぞれ所定の値に設定されている場合に第１段階アップリンクリソーススケジューリングメッセージが有効であると判定することを含む。受信機は、第１段階アップリンクリソーススケジューリングメッセージと関連する第２段階アップリンクリソーススケジューリングメッセージを無線基地局から受信する。プロセッサは、第２段階アップリンクリソーススケジューリングメッセージを受信した場合、第１段階アップリンクリソーススケジューリングメッセージが有効であるとプロセッサが判定した場合に、アップリンク送信がスケジューリングされたと判定する。ＵＥの送信機は、アップリンク送信がスケジューリングされたとＵＥが判定した場合、第１段階アップリンクリソーススケジューリングメッセージ内に示されたアップリンク無線リソースに基づいて、アンライセンスセルを介してアップリンク送信を実行する。
【００７１】
上記に対応して、一般的な１つの第１の態様において、ここに開示の技術は、ユーザ機器に対してアンライセンスセル上のアップリンク無線リソースをスケジューリングする無線基地局を特徴とする。少なくとも１つのアンライセンスセルは、ユーザ機器と無線基地局との間の通信に対して設定される。無線基地局のプロセッサが、ユーザ機器がアンライセンスセルを介してアップリンク送信を実行するのに使用可能なアップリンク無線リソースを示す第１段階アップリンクリソーススケジューリングメッセージを生成する。この生成は、第１段階アップリンクリソーススケジューリングメッセージにおける１つまたは複数のデータフィールドの１つまたは複数のビットをそれぞれ所定の値に設定することを含む。このようにして、ユーザ機器は、１つまたは複数のデータフィールドの１つまたは複数のビットがそれぞれ所定の値に設定されていると確認された場合に、第１段階アップリンクリソーススケジューリングメッセージが有効であると判定できる。無線基地局の送信機は、第１段階アップリンクリソーススケジューリングメッセージをユーザ機器へ送信する。プロセッサは、第１段階アップリンクリソーススケジューリングメッセージに関連した第２段階アップリンクリソーススケジューリングメッセージを生成する。送信機は、第２段階アップリンクリソーススケジューリングメッセージをユーザ機器へ送信する。
【００７２】
上記に対応して、１つの一般的な第１の態様において、ここに開示の技術は、アップリンク無線リソースがスケジューリングされるユーザ機器を動作させる方法を特徴とする。ユーザ機器と少なくとも１つのアンライセンスセル上のアップリンク無線リソースのスケジューリングを担う無線基地局との間の通信に対してアンライセンスセルが設定されている。この方法は、ユーザ機器によって実行される以下のステップを含む。ＵＥは無線基地局から、アンライセンスセルを介したアップリンク送信の実行にユーザ機器が使用可能なアップリンク無線リソースを示す第１段階アップリンクリソーススケジューリングメッセージを受信する。ＵＥは、この第１段階アップリンクリソーススケジューリングメッセージが有効か否かを判定する。ＵＥによる判定は、第１段階アップリンクリソーススケジューリングメッセージにおける１つまたは複数のデータフィールドの１つまたは複数のビットがそれぞれ所定の値に設定されている場合に、第１段階アップリンクリソーススケジューリングメッセージが有効であると判定することを含む。ＵＥは、第１段階アップリンクリソーススケジューリングメッセージと関連する第２段階アップリンクリソーススケジューリングメッセージを無線基地局から受信する。ＵＥは、第２段階アップリンクリソーススケジューリングメッセージを受信した場合、第１段階アップリンクリソーススケジューリングメッセージが有効であると判定された場合に、アップリンク送信がスケジューリングされたと判定する。ＵＥは、アップリンク送信がスケジューリングされていると判定された場合に、第１段階アップリンクリソーススケジューリングメッセージ内に示されたアップリンク無線リソースに基づいて、アンライセンスセルを介してアップリンク送信を実行する。
【００７３】
上記に対応して、１つの一般的な第１の態様において、ここに開示の技術は、ユーザ機器に対してアンライセンスセル上のアップリンク無線リソースをスケジューリングする無線基地局を動作させる方法を特徴とする。少なくとも１つのアンライセンスセルが、ユーザ機器と無線基地局との間の通信に対して設定される。この方法は、無線基地局によって実行される以下のステップを含む。無線基地局は、ユーザ機器がアンライセンスセルを介してアップリンク送信を実行するのに使用可能なアップリンク無線リソースを示す第１段階アップリンクリソーススケジューリングメッセージを生成する。この生成することは、１つまたは複数のデータフィールドの１つまたは複数のビットがそれぞれ所定の値に設定されていると確認された場合に、ユーザ機器が、第１段階アップリンクリソーススケジューリングメッセージが有効であると判定できるようにするために、第１段階アップリンクリソーススケジューリングメッセージにおける１つまたは複数のデータフィールドの１つまたは複数のビットをそれぞれ所定の値に設定することを含む。無線基地局は、第１段階アップリンク無線リソーススケジューリングメッセージをユーザ機器へ送信する。無線基地局は、第１段階アップリンクリソーススケジューリングメッセージに関連した第２段階アップリンクリソーススケジューリングメッセージを生成する。無線基地局は、第２段階アップリンクリソーススケジューリングメッセージをユーザ機器へ送信する。
【００７４】
開示の実施形態のその他の利益および利点については、本明細書および図面から明らかとなるであろう。これらの利益および／または利点は、本明細書および図面の開示の種々実施形態および特徴により個別にもたらされるようになっていてもよく、そのうちの１つまたは複数を得るためにすべてが提供される必要はない。
【００７５】
これら一般的かつ特定の態様は、システム、方法、およびコンピュータプログラム、ならびにシステム、方法、およびコンピュータプログラムの任意の組み合わせを用いて実現できる。
【００７６】
以下、添付の図面を参照して、例示的な実施形態をより詳しく説明する。
【図面の簡単な説明】
【００７７】
【図１】３ＧＰＰ  ＬＴＥシステムの例示的なアーキテクチャを示した図である。
【図２】３ＧＰＰ  ＬＴＥ（Ｒｅｌ．８／９）において規定されたサブフレームのダウンリンクスロットの例示的なダウンリンクリソースグリッドを示した図である。
【図３】３ＧＰＰ  ＬＴＥにおいて規定されたサブフレームのアップリンクスロットの例示的なアップリンクリソースグリッドを示した図である。
【図４】複数のライセンスセルおよびアンライセンスセルを伴う例示的なＬＡＡシナリオを示した図である。
【図５】ＬＡＡ送信の送信挙動を示した図である。
【図６】アンライセンスセルにおけるＷｉ−Ｆｉ送信とＬＡＡ  ＵＥダウンリンクバーストとの間のタイミングを示した図である。
【図７】アンライセンスセルを介したアップリンク送信について提供された２段階アップリンクスケジューリング手順を例示的に示した図である。
【図８】一実施形態に係るＵＥ挙動を示す例示的な簡略流れ図である。
【図９】一実施形態に係るｅＮｏｄｅＢ挙動を示す例示的な簡略流れ図である。
【図１０】別の実施形態に係るＵＥ挙動を示す例示的な簡略流れ図である。
【図１１】さらに別の実施形態に係るＵＥ挙動を示す例示的な簡略流れ図である。
【発明を実施するための形態】
【００７８】
移動局（mobile station）、移動ノード（mobile node）、ユーザ端末（user terminal）、またはユーザ機器（user equipment）は、通信ネットワーク内の物理エンティティである。１つのノードが複数の機能エンティティを有していてもよい。機能エンティティは、所定のセットの機能の実装ならびに／またはノードもしくはネットワークの他の機能エンティティへの提供を行うソフトウェアまたはハードウェアモジュールを表す。ノードは、通信を可能にする通信設備または媒体にノードを接続する１つまたは複数のインターフェースを有していてもよい。同様に、ネットワークエンティティは、他の機能エンティティまたは対応するノードとの通信を可能にする通信設備または媒体に機能エンティティを接続する論理インターフェースを有していてもよい。
【００７９】
一組の請求項および本願において使用する用語「無線リソース（radio resource）」は、時間−周波数リソース等の物理的な無線リソースを表すものとして広く理解されるものとする。
【００８０】
一組の請求項および本願において使用する用語「アンライセンスセル（unlicensed cell）」あるいは「アンライセンスキャリア（unlicensed carrier）」は、特定の周波数帯域幅のアンライセンス周波数帯において動作するセル／キャリアとして広く理解されるものとする。これに対応して、一組の請求項および本願において使用する用語「ライセンスセル（licensed cell）」あるいは「ライセンスキャリア（licensed carrier）」は、特定の周波数帯域幅のライセンス周波数帯において動作するセル／キャリアとして広く理解されるものとする。例示として、これらの用語は、３ＧＰＰのリリース１２／１３およびライセンスアシストアクセス作業項目の文脈で理解されるものとする。
【００８１】
一組の請求項および本願において使用する用語「第１段階アップリンクリソーススケジューリングメッセージ（first-stage uplink resource scheduling message）」は、複数段階（この場合は２段階）アップリンクスケジューリング手順の第１段階に対応するメッセージとして広く理解されるものとする。用語「トリガーＡメッセージ（trigger A message）」は、交換可能に同様に使用される。これに対応して、一組の請求項および本願において使用する用語「第２段階アップリンクリソーススケジューリングメッセージ（second-stage uplink resource scheduling message）」は、複数段階（この場合は２段階）アップリンクスケジューリング手順の第２段階に対応するメッセージとして広く理解されるものとする。用語「トリガーＢメッセージ（trigger B message）」は、交換可能に同様に使用される。あるいは、アップリンクリソーススケジューリングの用語「第１段階メッセージ（first-stage message）」および「第２段階メッセージ（second-stage message）」は、それぞれトリガーＡおよびトリガーＢメッセージを示すために使用できる。
【００８２】
背景技術の項で説明したように、３ＧＰＰが現在、アップリンクリソースのためにもライセンスアシストアクセス（ＬＡＡ）を拡張する過程にあり、２段階アップリンクリソース割当て手順を予測している。この手順では、２つの別個のアップリンクリソース割当てメッセージが、１つのアップリンク送信をトリガーするためにｅＮＢから送信される（背景技術の項で導入されたときに簡潔に表された、例えばトリガーＡおよびトリガーＢ）。２段階アップリンクスケジューリング手順（図７に例示的に示す）は、以下で説明されるように最適ではない。
【００８３】
ｅＮＢがトリガーＢメッセージを送信する場合、以前にｖサブフレームまでトリガーＡメッセージを受信したどのＵＥも、アップリンク送信を実行するようにスケジューリングされる。特に、トリガーＡメッセージはＵＥに固有であるが、トリガーＢメッセージはＵＥに固有ではない。したがって、トリガーＢが、以前に送信された特定のトリガーＡメッセージ（または別のＵＥにアドレス指定された複数のトリガーＡメッセージ）に関連するアップリンク送信をスケジューリングする目的で送信される場合でも、このトリガーＢメッセージを同様に受信する他のＵＥは、トリガーＢメッセージが以前に受信されたトリガーＡメッセージに関連していると誤ってみなす可能性がある。
【００８４】
また、この問題は、ＵＥがトリガーＡメッセージを間違って検出した場合にも存在する。特に、ＵＥが、トリガーＡメッセージではないフォーマット０Ａ、０Ｂ、４Ａ、４ＢのＤＣＩメッセージを受信したときに、「ＰＵＳＣＨトリガーＡ」フィールドのコンテンツを誤って判定し（「０」ではなく「１」と判定）（例えば、送信エラーにより）、それによって、トリガーＡメッセージを受信したと間違って結論付ける可能性がある。その後、ＵＥは、（場合によって別のＵＥに向けられた）トリガーＢメッセージを受信したときに、アップリンク送信を実行する（トリガーＢメッセージの受信前にトリガーＡメッセージが長さｖの時間窓内で受信されたとすれば。図７も参照）。間違って検出されたトリガーＡメッセージはそれが、フォーマット０Ｂおよび４ＢのＤＣＩメッセージによってサポートされたような、複数サブフレーム送信を引き起こす場合に特に問題になる。
【００８５】
ＵＥによるこれらの間違ったアップリンク送信は（単一サブフレームであっても複数サブフレームであっても）ｅＮｏｄｅＢが意図したものではないので、他のＵＥの送信をセル内およびセル間で妨害することになり得る。これはまた、他のアンライセンス技術（例えばＷｉＦｉ）との共存にも悪影響を及ぼし得る。
【００８６】
また、このような意図されていない送信の結果として送信された、対応するＵＬ−ＳＣＨトランスポートブロックの何れにおいてもｅＮｏｄｅＢによって予期されていない。その結果ｅＮｏｄｅＢは、これらのＵＬ−ＳＣＨトランスポートブロックを受信できない。これを解決するには、低位レイヤの再送信プロトコルが不成功にタイムアウトして余分な遅延、および場合により余分なチャネル占有時間が生じた後に対応するデータを搬送するために、上位レイヤの再送信プロトコルが必要になる。
【００８７】
本発明者らは、上記説明の問題のうちの１つまたは複数を軽減する以下の例示的な実施形態を着想した。
【００８８】
３ＧＰＰ規格により与えられるとともに背景技術の項で一部説明した広い仕様において、種々の実施形態の特定の実装形態が実現されるとし、以下の実施形態に説明する通り、特定の重要な特徴がこれに追加される。この実施形態は、例えば背景技術の項で説明した３ＧＰＰ  ＬＴＥ−Ａ（リリース１０／１１／１２／１３／１４およびそれ以降のリリース）通信システム等の移動体通信システムにおいて都合良く用いられるようになっていてもよいが、これら特定の例示的な通信ネットワークにおける使用に限定されない。
【００８９】
上記説明は、本開示の範囲を限定するものではなく、本開示をより深く理解するための実施形態の一例に過ぎないことが了解されるものとする。当業者であれば、以下に明示していない方法で、一組の請求項および本明細書に与えられた説明にて概説した本開示の一般原理を異なるシナリオに適用可能であることが認識されよう。例示および説明を目的として、いくつかの仮定を導入しているが、これらは、以下の実施形態の範囲を過度に制限しない。
【００９０】
種々の実施形態が主として、特に２段階リソース割当てを使用する場合の、アンライセンスセル用の改良されたアップリンクスケジューリング手順を提供する。他の機能（すなわち、種々の実施形態によって変更されない機能）は、背景技術の項で説明されたものと厳密に同じままでも、種々の実施形態に対する何らかの帰結、例えば、アップリンク送信がどのようにして実際に実行されるかを規定する機能および手順（例えば、セグメント化、変調、コーディング、ビーム形成、多重化）、またはＵＥが第１の場所のアンライセンスセルで送信できるようにする機能および手順（例えば、ＲＲＣ構成、ＬＢＴ、ＣＣＡなど）、を伴うことなく変更されてもよい。
【００９１】
以下、上記問題を解決する一実施形態を詳しく説明するが、この説明には、本実施形態の原理を容易に説明できるように工夫した以下の例示的なシナリオを使用する。ただし、これらの原理は、他のシナリオにも適用可能であり、その一部を以下に明示的に記載する。
【００９２】
背景技術の項で説明されたように、３ＧＰＰは、ＬＡＡ、ライセンス支援アクセス、ならびにアンライセンス周波数スペクトル内のチャネルで動作しているアンライセンスセルを使用するアップリンク送信のためのｅＬＡＡを導入することによって、現在のシステムを拡張した。以下では、ＵＥに少なくとも１つのアンライセンスセルが、また任意選択で少なくとも１つの別のライセンスセルが設定されているシナリオが仮定される。複数のＵＥがアンライセンスセルを介してｅＮＢと通信していてよい。以下の説明はこのようなシナリオに基づいているが、別の実施形態がまた、アンライセンスセルが独立して動作している（すなわち、対応するライセンスセルによって支援されることがない）シナリオに当てはまる。アンライセンスセルは、背景技術の項で説明された通常の方法で、ｅＮｏｄｅＢとＵＥの間に設定できる。それに応じて、アンライセンスセルは、アンライセンス周波数スペクトル内の特定のチャネルで動作する。
【００９３】
さらに、アンライセンスセルを介してＵＥによって実行されるアップリンク送信が、適切な方法でｅＮＢによってスケジューリングされることが仮定されており、この方法はまた、背景技術の項で説明された、また２段階グラントについて特定される問題の文脈における、２段階グラントの使用を含む。以下の実施形態は、第１のメッセージ（すなわちトリガーＡ）の誤検出リスクが低減されるように２段階アップリンクスケジューリング手順を改良して、２段階アップリンクスケジューリング手順の第２のメッセージ（すなわちトリガーＢメッセージ）を受信した後のＵＥからの不要なアップリンク送信を回避するものとする。
【００９４】
諸実施形態の趣旨は、トリガーＡメッセージの１つまたは複数のデータフィールドの１つまたは複数のビットを使用して、ＵＥが、受信したメッセージが確かにトリガーＡメッセージであることをさらに検査できるようにするという着想を中心とする。これに対応して、ｅＮｏｄｅＢは、トリガーＡメッセージを生成するときに、１つまたは複数のデータフィールド（以下では「検査データフィールド」、あるいは「検証データフィールド」と例示的に呼ばれる）のこれら１つまたは複数のビットをそれぞれ所定の値に設定する。トリガーＡメッセージの他のデータフィールドは、通常の方法で実行されるアップリンクリソーススケジューリング手順に従って、ｅＮｏｄｅＢによって設定できる。例えば、トリガーＡメッセージ（トリガーＢメッセージではない）がこのような情報を搬送すると例示的に仮定すると、トリガーＡメッセージはさらに、アンライセンスセルを介してアップリンク送信を実行するためにＵＥが使用できる適切なアップリンクリソースを示してもよく、かつ／または対応するＨＡＲＱプロセスが示されてもよく、かつ／または適切な変調・符号化方式が指示されてもよく、かつ／またはクロスキャリアスケジューリングが、適切なキャリアインジケータビットを設定することによって実行されてもよい、などである。次に、トリガーＡメッセージはｅＮｏｄｅＢからＵＥへ送信される。
【００９５】
次に、ＵＥは、トリガーＡメッセージを受信すると、１つまたは複数の検査データフィールドのコンテンツを使用して、受信したトリガーＡメッセージが確かに有効なトリガーＡメッセージであるか否かを検査する。これに対応して、ＵＥは、検査データフィールドがそれぞれ所定の値に設定されているか否かを判定する。検査データフィールドのビットが所定の値と一致する場合には、ＵＥは、受信したトリガーＡメッセージが有効であるとみなす。反対に、検査データフィールドのビットが所定の値と一致しない場合には、ＵＥは、受信したトリガーＡメッセージが無効であるとみなす。無効とみなされなかったトリガーＡメッセージだけが、適時に後で受信された対応するトリガーＢメッセージとともに、アップリンク送信をスケジューリングできる。
【００９６】
図７のシナリオは、これらの実施形態を説明するために再利用できる。ｅＮｏｄｅＢがトリガーＡメッセージをサブフレームｎ−３で、それに応じて検査データフィールドセットのビットとともに送信した後、ｅＮｏｄｅＢは、対応するトリガーＢメッセージを３サブフレーム後のサブフレームｎで送信できる。例えば、ｅＮＢは、アンライセンスセルのチャネルが自由に使用できることを検出できる。次に、ｅＮＢは、適切なトリガーＢメッセージをサブフレームｎで送信することによって、ＵＥを最終的にスケジューリングすることを決定する。
【００９７】
それに応じてＵＥは、トリガーＢメッセージを受信し、次に、アップリンク送信がｅＮＢによって確かにスケジューリングされるか否かを判定する。上述したように、ＵＥにおいてアップリンク送信を成功裏にトリガーするための１つの要件は、ＵＥが、以前に受信したトリガーＡメッセージが確かにトリガーＡメッセージであることを、上述した検査データフィールドを使用して検査することである。その結果、ＵＥは、少なくともトリガーＡメッセージが有効であると検査された場合（またトリガーＡメッセージが別の理由で無効にされていない場合）に、アップリンク送信が確かにスケジューリングされていると判定する。結果として、ＵＥは、トリガーＡメッセージおよび／またはトリガーＢメッセージに示されたいずれかの送信パラメータに従って、例えば、示されたアンライセンスセルで無線リソースを使用して、アップリンク送信を用意し実行する。
【００９８】
図８は、上述した実施形態による改良された２段階アップリンクスケジューリング手順を使用してアンライセンスセルを介したアップリンク送信を実行するために、ＵＥへのアップリンク無線リソースのスケジューリングを可能にするＵＥ挙動と、ＵＥによって実行される主なステップとを例示的に示す流れ図である。図８から明らかなように、ＵＥは、トリガーＡメッセージ（すなわち、図でアップリンクリソース割当ての第１段階メッセージと称されている）と、トリガーＢメッセージ（すなわち、図でアップリンクリソース割当ての第２段階メッセージと称されている）との両方を受信する。図８の例示的な実施形態によれば、トリガーＡメッセージの検査／検証は、トリガーＢメッセージを受信後に、検査データフィールドが所定の値に設定されているか否かを判定することによって実行される。肯定の場合（図で「Ｙｅｓ」）、トリガーＡメッセージは有効とみなされ、ＵＥはアップリンク送信を実行するステップへ進める。否定の場合（図で「Ｎｏ」）、トリガーＡメッセージは無効とみなされ、ＵＥはアップリンク送信を実行してはならないが、その後のトリガーＡおよび／またはトリガーＢメッセージを待つことができる。
【００９９】
図９は、上で説明された実施形態による改良された２段階アップリンクスケジューリング手順を使用してアンライセンスセルを介したアップリンク送信を実行するために、ＵＥへのアップリンク無線リソースのスケジューリングをするｅＮＢ挙動と、ｅＮＢによって実行される主なステップとを例示的に示す流れ図である。図９から明らかなように、ｅＮＢはＵＥに対しトリガーＡメッセージ（すなわち、図でアップリンクリソース割当ての第１段階メッセージと称されている）を用意する。これには、ＵＥにおいてトリガーＡメッセージを検証できるように、１つまたは複数の特定のデータフィールドの１つまたは複数のビットを所定の値に設定することが含まれる。次に、トリガーＡメッセージはＵＥへ送信される。その後ｅＮＢは、アップリンク送信をＵＥに対し最終的にスケジューリングすることを決定するときに、トリガーＢメッセージ（すなわち、図でアップリンクリソース割当ての第２段階メッセージと称されている）を用意しＵＥへ送信する。それに応じてＵＥが挙動し、例えばｅＮＢへのアップリンク送信を実行した場合、ｅＮＢは、前にスケジューリングされたアップリンク送信をＵＥ（図示せず）から受信できる。
【０１００】
追加検査データビットを提供してトリガーＡメッセージを検査することによって、誤検出率（リスク）が低減される。誤検出の低減量は、検査に使用されるビットの数による。検査に使用されるビットが多いほど、トリガーＡメッセージのより多くの誤検出が低減される。特に、１つの検査ビット（所定の値が０または１どちらか）でリスクが半分になるなどである。その結果、ＵＥにおけるトリガーＡメッセージの検出を改良するために予測されるビット量は、達成される信頼性のレベルによって決まる。さらに、以下の議論で明らかになるように、改良されたトリガーＡメッセージ検出と、他の目的に使用できる／できたこれらの検査ビットの損失との間にはトレードオフがある。
【０１０１】
以上で、一般的な実施形態およびその利点が説明された。以下では、この一般的な実施形態の変形形態が、例えば、より詳細な実装形態を提示して、既存の３ＧＰＰ通信システムにおける例示的な実装形態を提示して、またはさらなる利点を提示して、説明される。
【０１０２】
どのデータフィールドのどのビット、およびどれだけのビットが検査に使用されるかに関して、有利な実施形態は様々である。一般に、トリガーＡメッセージ内の１つまたは複数の特定のデータフィールドに属する１つまたは複数の特定のビットには、どれが使用されるかをｅＮＢならびにＵＥが既知であることを考慮に入れて、前記の点で使用できる。実際の実装形態に応じて、例えば、１つまたは複数のビットを有する特定のデータフィールドは、トリガーＡメッセージ内で、次にどれがそれに応じてｅＮＢによって設定され、次にどのコンテンツがトリガーＡメッセージをさらに検査するためにＵＥによって検査されるかが、予測され得る。
【０１０３】
背景技術の項で説明されたように、３ＧＰＰ通信システムの例示的な一実装形態では、トリガーＡメッセージはＤＣＩフォーマット０Ａ、０Ｂ、４Ａ、４Ｂのうちの１つによるメッセージである。背景技術の項から、特に対応する非特許文献１０から明らかなように、これらＤＣＩフォーマットのそれぞれが、特定の目的に使用可能なデータフィールドを規定する。簡潔に言うと、有利な実施形態によれば、これらのデータフィールドのうちの１つ以上が、以下で説明されるように、検査ビットを搬送するために再利用される。
【０１０４】
トリガーＡメッセージ検査に使用される適切なデータフィールドはＣＳＩ要求データフィールドであり、これは、１、２、または３ビットであり、ＰＵＣＳＨを使用してチャネル状態情報の非周期的レポートを制御するために使用できる。ＣＳＩ要求データフィールドがｅＮＢおよびＵＥによってどのようにして通常は使用されるかについての詳細は、参照により本明細書に組み込まれる非特許文献１１のセクション７．２．１により明らかになっている。簡潔には、ＣＳＩ要求データフィールドが１、２、または３ビットを含むか否かは、様々な設定またはシステムパラメータによって決まる。例えば、３ビットフィールドは、５つより多いＤＬセルが設定されているＵＥに対して、対応するＤＣＩフォーマットが、非特許文献４に規定されたＣ−ＲＮＴＩによって与えられたＵＥ固有のサーチスペースにマッピングされているときに、適用される。２ビットフィールドは、５つ以下のＤＬセルが設定されたＵＥに対して、かつ
−  １つより多いＤＬセルが設定されているＵＥに対して、かつ対応するＤＣＩフォーマットが、非特許文献４に規定されたＣ−ＲＮＴＩによって与えられたＵＥ固有のサーチスペースにマッピングされているときに、
−  １つより多いＣＳＩプロセスが上位レイヤで設定されているＵＥに対して、かつ対応するＤＣＩフォーマットが、非特許文献４に規定されたＣ−ＲＮＴＩによって与えられたＵＥ固有のサーチスペースにマッピングされているときに、
−  パラメータｃｓｉ−ＭｅａｓＳｕｂｆｒａｍｅＳｅｔによって上位レイヤで２つのＣＳＩ測定セットが設定されているＵＥに対して、かつ対応するＤＣＩフォーマットが、非特許文献４に規定されたＣ−ＲＮＴＩによって与えられたＵＥ固有のサーチスペースにマッピングされているときに、
適用される。１ビットフィールドは、それ以外に適用される。
【０１０５】
ＤＣＩフォーマット０Ａ、０Ｂ、４Ａ、または４ＢのＣＳＩ要求フィールドの１つまたは複数のビットは、追加のトリガーＡメッセージ検査を実施するために、実施形態に応じて使用できる。ＣＳＩ要求フィールドの全使用可能ビットより少ないビットしか使用しないことは、有利ではないことがある。トリガースケジューリングを使用するＬＴＥシステムにおけるＣＳＩ要求では特に、ＣＳＩレポートを含むサブフレームは、トリガーＢメッセージの受信後にようやく完全に分かる。しかし、ＣＳＩレポートの時間基準は、ＣＳＩレポートの送信時間、すなわちＣＳＩレポートを搬送するサブフレームの送信時間の関数として定義される。ＣＳＩレポートの計算は非常に複雑であるので、特にトリガーＢメッセージの受信と意図されたＣＳＩレポートサブフレームとの間の時間が４サブフレーム未満である場合、信号処理能力に対するかなり要求が厳しいタスクになる。ＵＥ実装形態のこれらの問題を回避することは、ＵＥが常に、トリガースケジューリング手順がＣＳＩレポートを要求しないと仮定できれば、より容易になる。結果として、１つの有利な実装形態では、ＣＳＩ要求フィールド内で使用可能なすべてのビットが、トリガーＡメッセージ検査のために使用される。
【０１０６】
別法として、または加えて、トリガーＡメッセージ検査のために使用される適切なデータフィールドはＳＲＳ要求データフィールドであり、これは、実際のＤＣＩフォーマットに応じて１または２ビット長である。また、ＳＲＳ要求データフィールドは、例えば、参照により本明細書に組み込まれる非特許文献１１のセクション８．２に現在定義されているように、ｅＮＢがＵＥにサウンディング参照信号を送信することを要求できるようにするためのＵＥサウンディング手順に関連して使用される。１つまたは２つのビットは、追加の検査を実施するために実施形態に応じて使用できる。ＳＲＳ要求データフィールドの全使用可能ビットより少ないビットしか使用しないことは、ＵＥからサブフレーム内で送信されるどのＳＲＳも、他のＵＥからのＰＵＳＣＨデータ、およびトリガーＵＥからのＳＲＳが、ＳＲＳによって占有されている少なくともこれらのリソースで成功裏に受信されることを、相互に発生する干渉により阻害し得ることを考慮すると、有利ではないことがある。結果として、１つの有利な実装形態では、ＣＳＩ要求フィールド内で使用可能なすべてのビットがトリガーＡメッセージ検査のために使用され、トリガースケジューリング手順のＳＲＳトリガーリングが効果的に無効化される。しかし、スケジューラが、スケジューリング適応性に対する対応する制約を受け入れることによって干渉を回避できる場合には、システムは、検査のためのＳＲＳ要求データフィールドの全使用可能ビットよりも少ないビットを使用することによって、限定ＳＲＳトリガーリング適応性を、改良されたトリガーＡメッセージ検査とともに保持することが可能である。対応する限定ＳＲＳトリガーリング機能は、好ましくは、少なくともＳＲＳがトリガーされない状態と、ＳＲＳ要求データフィールドがトリガーＡメッセージ検査に使用されない場合に使用可能であるＳＲＳ設定可能性オプションとを示す。
【０１０７】
別法として、または加えて、トリガーＡメッセージ検査のために使用される適切なデータフィールドはＴＰＣコマンドデータフィールドであり、これは２ビット長である。ＴＰＣコマンドデータフィールドは、例えば、参照により本明細書に組み込まれる非特許文献１１のセクション５．１．１．１に現在定義されているように、アップリンク送信を実行するためにＵＥで使用されるアップリンク電力を制御するために、ｅＮｏｄｅＢで使用される。ＴＰＣコマンドデータフィールドの１つまたは２つのビットは、追加のトリガーＡメッセージ検査を実施するために、実施形態に応じて使用できる。ＴＰＣコマンドフィールドの２ビットのうちの１つだけをトリガーＡメッセージ検査のために使用する場合、残りの１ビットはなお、前記フィールドで最初に意図されたように送信電力コマンドを搬送するために使用できる。ＴＰＣコマンドフィールドを低減する結果、１ビットだけの、２つだけの異なるＴＰＣコマンド、例えば±１ｄＢ、または任意の他の適切な値のみＵＥに命令できる。
【０１０８】
別法として、または加えて、トリガーＡメッセージ検査に使用される適切なデータフィールドは、背景技術の項で以前に定義された２段階アップリンクスケジューリング手順の文脈で使用される、タイミングオフセットフィールドである。特に、タイミングオフセットフィールドは４ビット長であり、トリガースケジューリングの場合、タイミングオフセットフィールドの最初の２つのビットが、ＰＵＳＣＨ送信の相対タイミングオフセットを通常は示し、最後の２つのビットが、トリガースケジューリングによるＰＵＳＣＨのスケジューリングが有効である時間窓を通常示す。タイミングオフセットフィールドの１つまたは複数のビットは、追加のトリガーＡメッセージ検査を実施するために、実施形態に応じて使用できる。タイミングオフセットフィールドの有利な制限により、タイミングオフセットフィールドの最初の２つのビットのうちの１つのビットだけがトリガーＡメッセージ検証に再利用される。それにより、残りの１ビットはさらに、前記フィールドで最初に意図されたようにＰＵＳＣＨ送信の相対タイミングオフセットを示すために使用できる。タイミングオフセットフィールドを１つのビットのみに減らす結果、２つの異なるタイミングオフセット値（例えば、現在の非特許文献４のセクション８の表８．２ｅに現在指定されている値からの任意の値）のみを指示でき、２つのビットによる相対タイミングオフセット「ｋ」は、値０、１、２、または３を取り得る。前述したように、ＰＵＳＣＨ送信は、非特許文献４のセクション８の現在の規定により「ｌ＋ｋ＋ｉ」サブフレームになる、特定のタイミングオフセットを含むトリガーＢメッセージを受信した後に実行される。実際の２段階グラント手順に依存しないパラメータｉの値をここでは無視すると、タイミングオフセットは２つのパラメータｌおよびｋを使用することによって設定される。トリガーＢメッセージの一部としてのパラメータｌは、値１、２、３、４、および６の間で識別できる。最小および最大の総遅延（ｌ＋ｋ）をさらに包含するために、相対タイミングオフセットを示すための、１つのビットだけを有する縮小フィールドは、値ｋ＝０とｋ＝３を有利に区別する。その場合、総遅延は｛１；２；３；４；５；６；７；９｝となり得る。
【０１０９】
加えて、または別法として、一定の関連性を有する代わりに、縮小タイミングオフセットの各ビット値［０または１］と関連付けられている実際のタイミングオフセット値「０、１、２、または３」は、例えば、ＲＲＣなどの上位レイヤシグナリングを使用して、例えばｅＮｏｄｅＢによって設定できる。
【０１１０】
ＤＣＩフォーマット０Ａ、０Ｂ、４Ａ、４Ｂによるメッセージは、追加検査の目的で理論的に再利用することもできる別のフィールドを含む。しかし、上記のデータフィールドは最も有利である。
【０１１１】
最初は他の目的が意図されていたデータフィールドを再利用することの、あり得る１つの欠点は（上記のＣＳＩ要求、ＳＲＳ要求、ＴＰＣコマンド参照）、このフィールドは、最初に意図されたようにはもはや使用できないことである（トリガーＡメッセージ検査に使用される場合）。しかし、この欠点は、ｅＮｏｄｅＢが別の方法で、例えば別のＤＣＩメッセージ内で、必要な情報（ＣＳＩ要求であれ、ＳＲＳ要求であれ、ＴＰＣコマンドなどであれ）を搬送できることを考慮すると、重大ではない。例えば、２段階アップリンクリソース割当てのトリガーＡメッセージがＣＳＩ／ＳＲＳを要求することを許容しなくても、ｅＮｏｄｅＢは、例えばライセンスセルまたはアンライセンスセルに対して１段階アップリンクリソース割当てメッセージを使用することによって、ＣＳＩ／ＳＲＳを要求できる。同じことが、ＴＰＣフィールドを再利用することにも基本的に当てはまる。その結果、ｅＮｏｄｅＢが使用可能な機能全体は、システムとしては失われない。むしろｅＮｏｄｅＢは、単に他のメッセージを使用して対応する要求およびコマンドを搬送できる。
【０１１２】
さらに、これらの実施形態はまた、トリガーＡメッセージの検査が実行される時間に関して変更できる。特に、第１段階アップリンクスケジューリングメッセージが有効であるか否かの、特定の検査データフィールドに基づく判定は、任意の適切な時間に実行できる。これまでの、特に図８の説明では、トリガーＡメッセージの検査は、トリガーＢメッセージを受信するとすぐに実行されると説明されているが、検査手順はまた、２段階トリガーアップリンク送信が実行されるべきか否かについての決定をするために検査が適時に行われる限り、別の時間に実行できる。例えば、検査は、トリガーＡメッセージを受信したときに、またはトリガーＡメッセージ受信した後であるがトリガーＢメッセージを受信する前の任意の時間に、実行できる。これらの手法は機能的に同等である。トリガーＡメッセージ受信のときに検査を実行することは、トリガーＢメッセージの受信後に、トリガーＢへの応答を遅延させ得るトリガーＡ検査ステップが不要であるという点で有利であるが、このことは、後続のサブフレームでトリガーＢコマンドがたとえ受信されなくても検査ステップを処理することを示唆する。トリガーＢメッセージ受信のときに検査を実行することには、ＰＵＳＣＨ送信が第２段階ＤＣＩによってトリガーされるように検出された場合に限り検査ステップを処理するという利点があるが、ＰＵＳＣＨ送信自体を処理できる前に検査のステップを処理する必要がある。
【０１１３】
今まで具体的に述べられていないが、これまで説明された２段階アップリンクリソーススケジューリング手順ではまた、任意選択で、２段階トリガースケジューリングが行われなければならない時間窓を実施することもできる。特に、長さｖの時間窓が与えられ（例えば、トリガーＡメッセージによって、例えばそのタイミングオフセットフィールドの最後の２つのビットで示されるように。非特許文献１０参照）、この時間窓内で２段階アップリンクリソーススケジューリング手順のトリガーＡメッセージとトリガーＢメッセージの両方が受信されなければならない。これに対応して、３ＧＰＰ規格で例示的に実施されているように、ＵＥは、トリガーＢメッセージを受信すると、トリガーＢメッセージが、対応するトリガーＡメッセージを受信した後の示された時間窓内で受信されたか否か（換言すると、対応するトリガーＡメッセージが、ＵＥがトリガーＢメッセージを受信する前の時間窓内で受信されたか否か）を判定する。トリガーＢメッセージがあまりに遅く受信された場合（すなわち、対応するトリガーＡメッセージが、トリガーＢメッセージを受信する前の時間窓内で受信されなかった場合）、２段階スケジューリングは有効ではなく、対応するアップリンク送信はＵＥによって実行されない。このＵＥ挙動は、図１０の例示的な簡略化流れ図に示されている。
【０１１４】
前述のように、トリガーＡメッセージは、通例、特定のＵＥにアドレス指定される。これは、ＤＣＩメッセージのＣＲＣをＣ−ＲＮＴＩなどのＵＥ固有の識別情報でマスキングすることによる通常の方法で行うことができる。一方、トリガーＢメッセージはＵＥに固有ではなく、複数のＵＥに共通にアドレス指定される。これもまた、ＤＣＩメッセージのＣＲＣ（フォーマット１Ｃ）を共通ＲＮＴＩ（ＣＣ−ＲＮＴＩなど）でマスキングすることによる通常の方法で行うことができる。
【０１１５】
どのＤＣＩメッセージ（トリガーＡメッセージおよびトリガーＢメッセージを含む）のデータ完全性も、通例、周期冗長検査、ＣＲＣ、ＤＣＩメッセージのビットを使用して検査される。このＣＲＣ検査は、実施形態と関連して上述したトリガーＡメッセージ検査に加えて実行される。両方のＣＲＣ検査、それに加えてデータフィールドコンテンツの検査（図８を参照）が成功した場合に限り、ＵＥは、トリガーＡメッセージが有効であること確認し、アップリンク送信を実行できる。このＵＥ挙動は、図１１の例示的な簡略化流れ図に示されている。ＣＲＣ検査とトリガーＡメッセージ検査のステップの順序はまた、逆にすることもできる。
【０１１６】
ＵＥならびにｅＮｏｄｅＢは、上記の改良された２段階グラント手順が適正に機能できるようにするために、検査データフィールドおよび対応する所定の値について既知である必要がある。これは、様々な方法で達成できる。例えば、特定のビットおよび／または特定のデータフィールドは、対応する技術規格で（例えば、非特許文献４で）一定とし、したがって、ＵＥがそのソフトウェア／ファームウェアの一部として使用可能にすることができる。例えば、以下の例示的な表は、規格で提示できる。
【表４】
2019537347.tif 000006
【０１１７】
別法として、１つまたは複数の検査データフィールド、および対応する１つまたは複数のビットを一定にする代わりに、これらは、例えば、ＲＲＣシグナリングなどの上位レイヤシグナリングを使用して、例えばｅＮＢによって一部または全部で設定可能とすることができる。
【０１１８】
１つの特定の実装形態によれば、この実施形態は、現在標準化されている３ＧＰＰ通信システムに実装できる。これに対応して、非特許文献４は、以下のように例示的に変更／拡張できる。
「以下の条件がすべて満たされる場合にＤＣＩフォーマット０Ａ／０Ｂ／４Ａ／４Ｂが検出されるならば、ＵＥが割当てをＰＤＣＣＨ／ＥＰＤＣＣＨによって検証する。すなわち、
−  ＰＤＣＣＨ／ＥＰＤＣＣＨペイロードに対し得られたＣＲＣパリティビットがＣ−ＲＮＴＩとスクランブルされる。
−  ＰＵＳＣＨトリガーＡビットが「１」に設定される。
それぞれの使用ＤＣＩのすべてのフィールドが表Ａ−１に従って設定された場合に、検証が達成される。
検証が達成された場合、ＵＥは、受信されたＤＣＩ情報がそれに応じて有効とみなす。
検証が達成されなかった場合、受信されたＤＣＩは、非マッチングＣＲＣとともに受信されたとＵＥがみなす。」
【表５】
2019537347.tif 000007
【０１１９】
上記の例示的な実装形態において、ＣＳＩ要求データフィールドおよびＳＲＳ要求データフィールドの全ビットが、上述したように検査データフィールドとして使用される。
【０１２０】
本開示のハードウェアおよびソフトウェア実装
他の例示的な実施形態は、ハードウェア、ソフトウェア、またはハードウェアと連携したソフトウェアの使用による上述の種々実施形態の実装に関する。これに関連して、ユーザ端末（移動端末）およびｅＮｏｄｅＢ（基地局）が提供される。ユーザ端末および基地局は、本明細書に記載の方法を実行するように構成されており、受信機、送信機、プロセッサ等の対応するエンティティがこれらの方法に適宜関与する。
【０１２１】
コンピュータデバイス（プロセッサ）を用いて種々実施形態が実装または実行され得ることもさらに認識される。コンピュータデバイスまたはプロセッサは、例えば汎用プロセッサ、デジタル信号プロセッサ（ＤＳＰ：Digital Signal Processor）、特定用途向け集積回路（ＡＳＩＣ：Application Specific Integrated Circuit）、フィールドプログラマブルゲートアレイ（ＦＰＧＡ：Field Programmable Gate Array）、または他のプログラム可能な論理デバイス等であってもよい。また、種々実施形態は、これらのデバイスの組み合わせによって実行または具現化されていてもよい。特に、上述の各実施形態の説明に使用した各機能ブロックは、集積回路としてのＬＳＩにより実現可能である。これらは、チップとして個々に形成されていてもよいし、機能ブロックの一部または全部を含むように１つのチップが形成されていてもよい。これらは、データ入出力が結合されていてもよい。ここで、ＬＳＩは、集積度の違いに応じて、ＩＣ、システムＬＳＩ、スーパーＬＳＩ、ウルトラＬＳＩとも称し得る。ただし、集積回路を実装する技術はＬＳＩに限定されず、専用回路または汎用プロセッサを用いることにより実現されるようになっていてもよい。また、ＬＳＩの製造後にプログラム可能なＦＰＧＡ（フィールドプログラマブルゲートアレイ）またはＬＳＩの内側に配設された回路セルの接続および設定を再構成可能な再構成可能プロセッサが用いられるようになっていてもよい。
【０１２２】
さらに、種々実施形態は、プロセッサによる実行またはハードウェアにおける直接的な実行が行われるソフトウェアモジュールによって実装されていてもよい。また、ソフトウェアモジュールおよびハードウェア実装の組み合わせも可能と考えられる。ソフトウェアモジュールは、例えばＲＡＭ、ＥＰＲＯＭ、ＥＥＰＲＯＭ、フラッシュメモリ、レジスタ、ハードディスク、ＣＤ−ＲＯＭ、ＤＶＤ等、如何なる種類のコンピュータ可読記憶媒体に格納されていてもよい。様々な実施形態の個々の特徴は、個別または任意の組み合わせにより、別の実施形態の主題であってもよいことにさらに留意されたい。
【０１２３】
当業者には当然のことながら、特定の実施形態に示すように、本開示の多くの変形および／または改良が可能である。したがって、本実施形態は、あらゆる点で例示に過ぎず、何ら限定的なものではないと考えるべきである。
【図１】
2019537347.tif 000008
【図２】
2019537347.tif 000009
【図３】
2019537347.tif 000010
【図４】
2019537347.tif 000011
【図５】
2019537347.tif 000012
【図６】
2019537347.tif 000013
【図７】
2019537347.tif 000014
【図８】
2019537347.tif 000015
【図９】
2019537347.tif 000016
【図１０】
2019537347.tif 000017
【図１１】
2019537347.tif 000018
【国際調査報告】
2019537347.tif 000019
2019537347.tif 000020